(57)【要約】【課題】低コストかつ容易に携帯端末のような外部機器に対して画像を提供することができる画像プリント提供装置を提供する。【解決手段】  利用者を含む被写体を撮影して撮影画像を取得するためのカメラ３１と、上記撮影画像に対する編集入力を受け付ける編集用タッチパネルディスプレイ４１と、上記編集入力が施された編集画像を画像プリントとして出力するプリンタ５５と、所定の画像を記憶する記憶部１０４ａ，１０４ｂと、利用者所有のカメラ付携帯で撮影するための撮影用画像を表示する表示手段と、上記カメラ３１による撮影の待機、編集用タッチパネルディスプレイ４１による編集の待機、プリンタ５５による印刷完了の待機の少なくともいずれかの待機時間中に、上記表示手段に撮影用画像を表示する制御手段とを備えた。【選択図】図１
2006324726.tif 000002
【特許請求の範囲】
【請求項１】
利用者を含む被写体を撮影して撮影画像を取得するための撮影手段と、
上記撮影画像に対する編集入力を受け付ける編集入力受付手段と、
上記編集入力が施された編集画像を画像プリントとして出力する印刷手段と、
所定の画像を記憶する記憶手段と、
利用者所有のカメラで撮影するための撮影用画像を表示する表示手段と、
上記撮影手段による撮影の待機、編集入力受付手段による編集の待機、印刷手段による印刷完了の待機の少なくともいずれかの待機時間中に、上記表示手段に撮影用画像を表示する制御手段とを備えたことを特徴とする画像プリント提供装置。
【請求項２】
上記制御手段は、上記表示手段に、上記待機時間が終了するまで撮影用画像を表示する請求項１記載の画像プリント提供装置。
【請求項３】
上記撮影用画像は、上記撮影画像と編集画像の少なくともいずれかを含む請求項１または２記載の画像プリント提供装置。
【請求項４】
上記編集入力中の編集画像を記憶するキャプチャ手段を備え、上記撮影用画像は、上記キャプチャ手段で記憶された編集画像を含む請求項１〜３のいずれか一項に記載の画像プリント提供装置。
【請求項５】
上記撮影用画像は、記憶手段にあらかじめ記憶された記憶画像を含む請求項１〜４のいずれか一項に記載の画像プリント提供装置。
【請求項６】
上記表示手段は、上記撮影手段による撮影を待機するための撮影待機部に設けられた撮影待機用ディスプレイを含む請求項１〜５のいずれか一項に記載の画像プリント提供装置。
【請求項７】
上記表示手段は、上記画像プリントを利用者に提供するプリント提供部に設けられた印刷待機用ディスプレイを含む請求項１〜６のいずれか一項に記載の画像プリント提供装置。
【請求項８】
上記制御手段は、複数の編集領域それぞれで上記編集入力を受け付けるための編集画面を上記表示手段に表示し、上記複数の編集領域のうちいずれかの編集領域において編集入力が終了した後に、撮影用画像を表示する請求項１〜７のいずれか一項に記載の画像プリント提供装置。
【請求項９】
上記制御手段は、上記表示手段に、所望の撮影用画像を選択するための複数の画像を表示するとともに、上記複数の画像から利用者の選択入力により選択された撮影用画像を大きく表示する請求項１〜８のいずれか一項に記載の画像プリント提供装置。
【請求項１０】
上記制御手段は、上記表示手段に、同じ種類の撮影用画像をそれぞれ異なる大きさで複数表示する請求項１〜９のいずれか一項に記載の画像プリント提供装置。
【請求項１１】
上記制御手段は、上記表示手段に、同じ種類の撮影用画像をそれぞれ異なる向きで複数表示する請求項１〜１０のいずれか一項に記載の画像プリント提供装置。
【請求項１２】
上記制御手段は、上記表示手段に、異なる種類の撮影用画像を同時に複数表示する請求項１〜１１のいずれか一項に記載の画像プリント提供装置。
【請求項１３】
撮影用画像を表示する前に撮影用画像を表示する旨の案内をする案内手段をさらに備えた請求項１〜１２のいずれか一項に記載の画像プリント提供装置。
【請求項１４】
上記表示手段の周囲に、上記表示手段への照明や光線の入射を遮蔽する遮蔽手段を備えた請求項１〜１３のいずれか一項に記載の画像プリント提供装置。
【請求項１５】
上記表示手段の表面に、上記表示手段への照明や光線の写り込みを防止する防止手段を備えた請求項１〜１４のいずれか一項に記載の画像プリント提供装置。
【請求項１６】
利用者を含む被写体を撮影手段で撮影して撮影画像を取得するための撮影ステップと、
上記撮影画像に対する編集入力を編集入力受付手段で受け付ける編集入力受付ステップと、
上記編集入力が施された編集画像を画像プリントとして印刷手段で出力する印刷ステップと、
上記撮影手段による撮影の待機、上記編集入力受付手段による編集の待機、上記印刷手段による印刷完了の待機の少なくともいずれかの待機時間中に、利用者所有のカメラで撮影するための撮影用画像を表示手段に表示する表示ステップとを備えたことを特徴とする画像プリント提供方法。
【請求項１７】
利用者を含む被写体を撮影手段で撮影して撮影画像を取得するための撮影ステップと、
上記撮影画像に対する編集入力を編集入力受付手段で受け付ける編集入力受付ステップと、
上記編集入力が施された編集画像を画像プリントとして印刷手段で出力する印刷ステップと、
上記撮影手段による撮影の待機、上記編集入力受付手段による編集の待機、上記印刷手段による印刷完了の待機の少なくともいずれかの待機時間中に、利用者所有のカメラで撮影するための撮影用画像を表示手段に表示する表示ステップとをコンピュータ装置に実行させることを特徴とする画像プリント提供プログラム。
【発明の詳細な説明】
【技術分野】
【０００１】
本発明は、ゲームセンター等に設置され、硬貨等の投入により利用者を撮影し、撮影画像をプリントして販売する画像プリント提供装置および方法ならびにプログラムに関し、特に、低コストかつ容易に携帯端末のような外部機器に対して画像を提供することができる画像プリント提供装置および方法ならびにプログラムに関するものである。
【背景技術】
【０００２】
近年、ゲームセンター等において、被写体を撮影し、撮影した画像を利用者が落書きなどの編集を行って、シール状の印刷媒体に出力する画像プリント提供装置が普及している。
【０００３】
上述のような画像プリント提供装置の主たる利用者である女子中高生は、通信機能やカメラ機能を搭載した携帯電話の所持率が高い。そこで、画像プリント提供装置で撮影したり編集したりした画像を、自己の携帯電話の待ち受け画面として表示したり、友人に送ったりしたいという要望がある。
【０００４】
そこで、上述した要望に応えるため、画像プリント提供装置にて利用者のメールアドレスを受け付け、画像プリント提供装置から所定のサーバ装置へ撮影した画像を送信し、サーバ装置から受付けたメールアドレスへ画像を配信する画像配信システムが提案されている（例えば、下記の特許文献１参照）。
【０００５】
また、利用者の携帯電話と通信ケーブルで接続し、接続ケーブルを介して携帯電話に画像を送出する技術が提案されている（例えば、下記の特許文献２参照）。
【０００６】
また、近接無線通信方式で伝送される画像データを送受信するための手段を設けて、異動通信端末に送信することができる画像処理装置が提案されている（例えば、下記の特許文献３参照）。
【特許文献１】特開２００１−３０９１０８号公報
【特許文献２】特開２００１−２９８７１７号公報
【特許文献３】特開２００２−３３５３６９号公報
【発明の開示】
【発明が解決しようとする課題】
【０００７】
しかしながら、上記特許文献１に開示された技術においては、画像をサーバ装置へ送信するための通信手段を画像プリント提供装置毎に設ける必要がある。また、画像プリント提供装置とサーバ装置との通信コストが嵩むという問題がある。
【０００８】
また、画像プリント提供装置は、繁華街、ゲームセンター、建物内、地下街などの比較的小規模の店舗に設置することが一般的であり、店舗によっては通信電波状態が悪い場所もあることから、通信手段が無線型の通信方式である場合、画像を安定的に利用者の携帯端末へ送信することができず、利用者の不満を招くという問題がある。
【０００９】
また、通信手段が電話回線などの有線型の通信方式である場合、一度配線すると店舗内でのレイアウト変更が困難になるため、店舗運営者にとって好ましいものではない。
【００１０】
また、通信手段を利用して携帯端末へ送信する場合には、通信速度やサーバに負担をかけないように圧縮するなどして、画像をリサイズする必要があり、このようにリサイズされた画像は画質が悪く利用者には不評であるという問題があった。
【００１１】
さらに、メールアドレスの入力が面倒であったり、迷惑メール防止のために長いメールアドレスにしている場合は、メールアドレスを覚えていなかったりする場合も多く、すぐにメールアドレスを入力できないという問題があった。また、いちいち自分のメールアドレスを入力しなければならないため、その入力作業が煩雑な上、個人情報流出の危険性も高まり、セキュリティ上好ましくない。
【００１２】
一方、上記特許文献２に開示された技術においては、利用者の携帯端末を画像プリント提供装置に接続する煩わしさがあり、さらに、利用者に対して、携帯端末を接続することによって、携帯端末が壊れたり、携帯端末に蓄積されている個人情報が漏洩する不安を与えるという問題がある。
【００１３】
また、上記特許文献３に開示された技術においては、赤外線またはブルートゥースなどの無線方式の場合、送受信状態を確立するまでの手順が複雑であることから、主な利用者である女子中高生に慣れない操作を強いることになり不快感を感じさせてしまうという問題があった。さらに、上述と同様、情報漏洩という不安が解消されることはない。また、全ての携帯電話に赤外線やブルートゥースなどの機能が搭載されているわけではなく、搭載されていない携帯電話を所持している場合はサービスが利用できないという問題があった。
【００１４】
また、携帯電話の画面の大きさは機種によって異なるため、特許文献１や特許文献２の方法で提供される画像の画像サイズと利用者が所持する携帯電話の画面の大きさとが必ずしも合致するわけではないため、待ち受け画面にしたときに見た目が悪く、利用者には不評であるという問題があった。
【００１５】
本発明は、このような事情に鑑みなされたもので、低コストかつ容易に携帯端末のような外部機器に対して画像を提供することができる画像プリント提供装置および方法ならびにプログラムの提供を目的とする。
【課題を解決するための手段】
【００１６】
上記の目的を達成するため、本発明の画像プリント提供装置は、
利用者を含む被写体を撮影して撮影画像を取得するための撮影手段と、
上記撮影画像に対する編集入力を受け付ける編集入力受付手段と、
上記編集入力が施された編集画像を画像プリントとして出力する印刷手段と、
所定の画像を記憶する記憶手段と、
利用者所有のカメラで撮影するための撮影用画像を表示する表示手段と、
上記撮影手段による撮影の待機、編集入力受付手段による編集の待機、印刷手段による印刷完了の待機の少なくともいずれかの待機時間中に、上記表示手段に撮影用画像を表示する制御手段とを備えたことを特徴とする。
【００１７】
また、本発明は、請求項１記載の画像プリント提供装置において、上記制御手段は、上記表示手段に、上記待機時間が終了するまで撮影用画像を表示することを特徴とする。
【００１８】
また、本発明は、請求項１または２記載の画像プリント提供装置において、上記撮影用画像は、上記撮影画像と編集画像の少なくともいずれかを含むことを特徴とする。
【００１９】
また、本発明は、請求項１〜３のいずれか一項に記載の画像プリント提供装置において、上記編集入力中の編集画像を記憶するキャプチャ手段を備え、上記撮影用画像は、上記キャプチャ手段で記憶された編集画像を含むことを特徴とする。
【００２０】
また、本発明は、請求項１〜４のいずれか一項に記載の画像プリント提供装置において、上記撮影用画像は、記憶手段にあらかじめ記憶された記憶画像を含むことを特徴とする。
【００２１】
また、本発明は、請求項１〜５のいずれか一項に記載の画像プリント提供装置において、上記表示手段は、上記撮影手段による撮影を待機するための撮影待機部に設けられた撮影待機用ディスプレイを含むことを特徴とする。
【００２２】
また、本発明は、請求項１〜６のいずれか一項に記載の画像プリント提供装置において、上記表示手段は、上記画像プリントを利用者に提供するプリント提供部に設けられた印刷待機用ディスプレイを含むことを特徴とする。
【００２３】
また、本発明は、請求項１〜７のいずれか一項に記載の画像プリント提供装置において、上記制御手段は、複数の編集領域それぞれで上記編集入力を受け付けるための編集画面を上記表示手段に表示し、上記複数の編集領域のうちいずれかの編集領域において編集入力が終了した後に、撮影用画像を表示することを特徴とする。
【００２４】
また、本発明は、請求項１〜８のいずれか一項に記載の画像プリント提供装置において、上記制御手段は、上記表示手段に、所望の撮影用画像を選択するための複数の画像を表示するとともに、上記複数の画像から利用者の選択入力により選択された撮影用画像を大きく表示することを特徴とする。
【００２５】
また、本発明は、請求項１〜９のいずれか一項に記載の画像プリント提供装置において、上記制御手段は、上記表示手段に、同じ種類の撮影用画像をそれぞれ異なる大きさで複数表示することを特徴とする。
【００２６】
また、本発明は、請求項１〜１０のいずれか一項に記載の画像プリント提供装置において、上記制御手段は、上記表示手段に、同じ種類の撮影用画像をそれぞれ異なる向きで複数表示することを特徴とする。
【００２７】
また、本発明は、請求項１〜１１のいずれか一項に記載の画像プリント提供装置において、上記制御手段は、上記表示手段に、異なる種類の撮影用画像を同時に複数表示することを特徴とする。
【００２８】
また、本発明は、請求項１〜１２のいずれか一項に記載の画像プリント提供装置において、撮影用画像を表示する前に撮影用画像を表示する旨の案内をする案内手段をさらに備えたことを特徴とする。
【００２９】
また、本発明は、請求項１〜１３のいずれか一項に記載の画像プリント提供装置において、上記表示手段の周囲に、上記表示手段への照明や光線の入射を遮蔽する遮蔽手段を備えたことを特徴とする。
【００３０】
また、本発明は、請求項１〜１４のいずれか一項に記載の画像プリント提供装置において、上記表示手段の表面に、上記表示手段への照明や光線の写り込みを防止する防止手段を備えたことを特徴とする。
【００３１】
また、本発明の画像プリント提供方法は、
利用者を含む被写体を撮影手段で撮影して撮影画像を取得するための撮影ステップと、
上記撮影画像に対する編集入力を編集入力受付手段で受け付ける編集入力受付ステップと、
上記編集入力が施された編集画像を画像プリントとして印刷手段で出力する印刷ステップと、
上記撮影手段による撮影の待機、上記編集入力受付手段による編集の待機、上記印刷手段による印刷完了の待機の少なくともいずれかの待機時間中に、利用者所有のカメラで撮影するための撮影用画像を表示手段に表示する表示ステップとを備えたことを特徴とする。
【００３２】
また、本発明の画像プリント提供プログラムは、
利用者を含む被写体を撮影手段で撮影して撮影画像を取得するための撮影ステップと、
上記撮影画像に対する編集入力を編集入力受付手段で受け付ける編集入力受付ステップと、
上記編集入力が施された編集画像を画像プリントとして印刷手段で出力する印刷ステップと、
上記撮影手段による撮影の待機、上記編集入力受付手段による編集の待機、上記印刷手段による印刷完了の待機の少なくともいずれかの待機時間中に、利用者所有のカメラで撮影するための撮影用画像を表示手段に表示する表示ステップとをコンピュータ装置に実行させることを特徴とする。
【発明の効果】
【００３３】
すなわち、本発明は、上記撮影手段による撮影の待機、編集入力受付手段による編集の待機、印刷手段による印刷完了の待機の少なくともいずれかの待機時間中に、利用者所有のカメラで撮影するための撮影用画像を表示手段に表示する。このため、利用者は、自分のカメラで撮影用画像を撮影し、例えば携帯電話端末の待ち受け画面として利用したり友人に送信したりすることができる。また、このような撮影用画像の撮影を待機時間を利用して行うため、待機時間の間に利用者に楽しみを提供し、利用者を飽きさせず、待つことによるイライラを解消することができる。
【００３４】
そして、従来のように、画像をサーバ装置へ送信するための通信手段を画像プリント提供装置毎に設ける必要がなく、また、画像プリント提供装置とサーバ装置との通信コストもかからず、通信電波状態によるトラブルも発生しない。また、電話回線等の配線の影響を受けないため、店舗内でのレイアウトの自由度が高くなる。さらに、通信手段を利用した送信のように、画像を圧縮する必要もなく、画質の低下もない。さらに、メールアドレス入力作業の手間も解消され、個人情報流出の危険もなくなる。また、従来のように、携帯端末等の利用者のカメラを画像プリント提供装置にいちいち接続する煩わしさもなくなり、それによるカメラの破損やデータの消失・流出の危険もなくなる。さらに、従来のように、赤外線やブルートゥース等の煩雑な操作を利用者に強いることもなくなるうえ、赤外線やブルートゥースなどの機能が搭載されていないカメラも使用可能となり、サービスが機種に依存することもなくなる。このように、低コストかつ容易に携帯端末のような外部機器に対して画像を提供することができる画像プリント提供装置および方法ならびにプログラムが提供できるのである。
【００３５】
本発明において、上記制御手段は、上記表示手段に、上記待機時間が終了するまで撮影用画像を表示する場合には、待機時間の間に利用者に楽しみを提供し、利用者を飽きさせず、待つことによるイライラを解消することができる。
【００３６】
本発明において、上記撮影用画像は、上記撮影画像と編集画像の少なくともいずれかを含む場合には、撮影用画像として利用者自身を撮影した撮影画像や、それに利用者自身が編集を加えた編集画像を提供することができ、利用者により満足を与えることができる。
【００３７】
本発明において、上記編集入力中の編集画像を記憶するキャプチャ手段を備え、上記撮影用画像は、上記キャプチャ手段で記憶された編集画像を含む場合には、編集途中の所望の編集画像をキャプチャして当該キャプチャ画像を撮影用画像として提供することができ、利用者により満足を与えることができる。また、より多くの種類の画像を撮影用画像として利用者に提供できる。
【００３８】
本発明において、上記撮影用画像は、記憶手段にあらかじめ記憶された記憶画像を含む場合には、あらかじめ準備された記憶画像を撮影用画像として提供することができ、利用者により満足を与えることができる。
【００３９】
本発明において、上記表示手段は、上記撮影手段による撮影を待機するための撮影待機部に設けられた撮影待機用ディスプレイを含む場合には、撮影待ちの利用者に撮影待機部において、撮影用画像を撮影する楽しみを提供することができ、新たに利用しようとする利用者を逃さず、プレイを行わせることができる。
【００４０】
本発明において、上記表示手段は、上記画像プリントを利用者に提供するプリント提供部に設けられた印刷待機用ディスプレイを含む場合には、印刷終了を待機する利用者に、プリント提供部において、撮影用画像を撮影する楽しみを提供することができ、印刷終了の待機の間に利用者に楽しみを提供し、利用者を飽きさせず、待つことによるイライラを解消することができる。
【００４１】
本発明において、上記制御手段は、複数の編集領域それぞれで上記編集入力を受け付けるための編集画面を上記表示手段に表示し、上記複数の編集領域のうちいずれかの編集領域において編集入力が終了した後に、撮影用画像を表示する場合には、複数の編集領域それぞれで上記編集入力を行う場合に、一方の編集入力が終了した後、他方の編集終了を待機する間に、撮影用画像を撮影する楽しみを提供することができ、印刷終了の待機の間に利用者に楽しみを提供し、利用者を飽きさせず、待つことによるイライラを解消することができる。
【００４２】
本発明において、上記制御手段は、上記表示手段に、所望の撮影用画像を選択するための複数の画像を表示するとともに、上記複数の画像から利用者の選択入力により選択された撮影用画像を大きく表示する場合には、複数の画像のなかから利用者所望の画像を撮影用画像として提供することができ、利用者により満足を与えることができる。
【００４３】
本発明において、上記制御手段は、上記表示手段に、同じ種類の撮影用画像をそれぞれ異なる大きさで複数表示する場合には、カメラ付き携帯電話等の表示画面の大きさが機種の違いなどによって異なったとしても、撮影用画像の画像サイズと利用者が所持するカメラの表示画面の大きさとを合致させた撮影ができ、例えば、待ち受け画面等にしたときに見た目がよく、利用者に満足を与えることができる。
【００４４】
本発明において、上記制御手段は、上記表示手段に、同じ種類の撮影用画像をそれぞれ異なる向きで複数表示する場合には、カメラ付き携帯電話等の表示画面の向きが機種の違いなどによって異なったとしても、画像の向きと利用者が所持するカメラの表示画面の向きとを合致させた撮影ができ、例えば、待ち受け画面等にしたときに見た目がよく、利用者に満足を与えることができる。
【００４５】
本発明において、上記制御手段は、上記表示手段に、異なる種類の撮影用画像を同時に複数表示する場合には、複数種類の画像を撮影用画像として短時間のうちに同時に提供することができ、利用者により満足を与えることができる。
【００４６】
本発明において、撮影用画像を表示する前に撮影用画像を表示する旨の案内をする案内手段をさらに備えた場合には、利用者が上記案内によりカメラを準備できることから、待機時間に提供される撮影用画像の撮影を時間の無駄なく遂行できるようになる。
【００４７】
本発明において、上記表示手段の周囲に、上記表示手段への照明や光線の入射を遮蔽する遮蔽手段を備えた場合には、撮影用画像の撮影の際に、上記表示手段に写り込まないよう照明や光線を遮蔽することができるため、きれいな画像を撮影できる。
【００４８】
本発明において、上記表示手段の表面に、上記表示手段への照明や光線の写り込みを防止する防止手段を備えた場合には、撮影用画像の撮影の際に、照明や光線の写り込みが防止され、きれいな画像を撮影できる。
【発明を実施するための最良の形態】
【００４９】
つぎに、本発明の実施の形態を詳しく説明する。
【００５０】
［写真シール作成装置の外観構成］
図１および図２は、本実施例における画像プリント提供装置の外観の具体例を示す図である。
【００５１】
この画像プリント提供装置は、筐体１の前面が、利用者を含む被写体を撮影するカメラ３１を有し、利用者に対して撮影プレイを提供する撮影プレイ提供部３０を構成しており、この撮影プレイ提供部３０に臨む空間が撮影空間３に形成されている。図１は撮影プレイ提供部３０側から見た斜視図である。
【００５２】
また、筐体１の背面が、上記撮影プレイ提供部３０とは異なる場所に設けられ、利用者の操作による編集入力を受け付ける編集入力受付手段として機能する編集用タッチパネルディスプレイ４１や、タッチペン４２等を有し、利用者に対して編集プレイを提供する編集プレイ提供部４０を構成しており、この編集プレイ提供部４０に臨む空間が編集空間４に形成されている。図２は編集プレイ提供部４０側から見た斜視図である。
【００５３】
また、上記筐体１の撮影プレイ提供部３０に向かって左側の側面が、上記撮影プレイ提供部３０および編集プレイ提供部４０とは異なる場所に設けられ、撮影プレイを待機するための撮影待機部２０を構成しており、この撮影待機部２０に臨む空間が撮影待機空間２に形成されている。
【００５４】
また、上記筐体１の編集プレイ提供部４０に向かって左側の側面が、上記撮影プレイ提供部３０、編集プレイ提供部４０および撮影待機部２０とは異なる場所に設けられ、印刷プレイを実行して画像プリントを利用者に提供するプリント提供部５０を構成しており、このプリント提供部５０に臨む空間が印刷待機空間５に形成されている。
【００５５】
上記筐体１の内部には、カメラ３１で撮影された撮影画像に対して編集用タッチパネルディスプレイ４１で受け付けられた編集入力が施された編集画像を画像プリントとして印刷媒体１５に出力する印刷処理を実行するためのプリンタ５５と、上記撮影プレイ、編集プレイ、印刷プレイを制御する制御手段として機能する、撮影用コンピュータ装置１０１ａ、編集・印刷用コンピュータ装置１０１ｂ、制御部（制御基板）１０２をはじめとする各種機器類が収容されている。これらの詳細については、後で図４を参照して説明する。
【００５６】
上記構成の装置では、まず、撮影空間３において、利用者に対して上記筐体１の前面に設けられた撮影手段としてのカメラ３１による撮影プレイを実行させ、撮影プレイが終了すると利用者を編集空間４に誘導する。ついで、編集空間４では、利用者に対して上記撮影プレイで得られた撮影画像に対して編集入力受付手段としての編集用タッチパネルディスプレイ４１に編集入力させる編集プレイを実行させ、編集プレイが終了すると利用者を印刷待機空間５に誘導する。つぎに、印刷待機空間５では、上記編集プレイによって撮影画像に対してスタンプ画像や落書き画像が入力された画像である編集画像をプリンタ５５で印刷出力し、プリント提供部５０のプリント取出口５２から排出する。
【００５７】
また、新規利用者がプレイを行おうとした場合に、撮影空間３が使用中である場合に、その新規利用者は、撮影待機空間２に入って、前の利用者の撮影プレイが終了するのを待機できるようになっている。
【００５８】
そして、本発明では、上記撮影プレイ（撮影手段を用いた撮影操作）における撮影の待機、編集プレイ（編集受付手段を用いた編集操作）における編集の待機、プリンタ５５による画像プリントの印刷完了の待機のうち、いずれかの待機時間中に、利用者所有のカメラ（例えばカメラつきの携帯電話等）で撮影するための撮影用画像を表示する表示手段としての撮影用画像表示手段が設けられている。この撮影用画像表示手段については、後述する。利用者所有のカメラは、カメラ付携帯電話に限定されるものでなく、デジタルカメラなどカメラ機能を持つものであればよい。
【００５９】
つぎに、上記撮影プレイ提供部３０、編集プレイ提供部４０、プリント提供部５０、撮影待機部２０のそれぞれについて詳しく説明する。
【００６０】
上記筐体１の前面である撮影プレイ提供部３０には、利用者を含む被写体を撮影するカメラ３１と、カメラ３１により撮像される映像をリアルタイムで表示し、利用者に撮像される映像を視覚確認させるためのライブモニタ３２と、デモ画面や撮影中の操作手順等の情報を表示するとともに、利用者からの指示操作を受け付けるための撮影用タッチパネルディスプレイ３３と、対価である硬貨を投入するためのコイン投入口３５とが設けられている。また、撮影プレイ提供部３０には、蛍光灯３６、ストロボ３７が内蔵された照明部３４と、ＢＧＭや操作方法等の案内を音声で出力する撮影用スピーカ３９（図４参照；図１には示していない）とが設けられている。上記撮影空間３は周囲をパネルやフレームや遮蔽カーテンで囲むことによって、外部と空間が隔てられている（図示せず）。また、撮影空間３の撮影プレイ提供部３０に相対する面には、撮影時に被写体の背景となる背景カーテンが吊設されている（図示せず）。
【００６１】
上記筐体１の背面である編集プレイ提供部４０には、カメラ３１による撮影によって得られた画像である撮影画像や、編集プレイで落書き画像が編集入力された編集画像（合成画像）を表示するとともに、当該撮影画像に対する編集入力を受け付ける編集用タッチパネルディスプレイ４１と、落書き画像等の入力操作や各種操作を行なうための複数のタッチペン４２と、編集入力時に編集空間４内を明るく保つための蛍光灯４４とが設けられている。また、編集プレイに関する音声を出力するための編集用スピーカ４６が設けられている（図４参照；図１には示していない）。なお、編集用タッチパネルディスプレイ４１は、１つであっても複数であってもよい。
【００６２】
上記編集用タッチパネルディスプレイ４１は、編集用ディスプレイとしてのディスプレイに、編集入力受付手段としてのタッチパネルが積層され、編集空間４内の利用者に対して案内を表示したり、メニュー画面、デモ画面、利用者が撮影画像に対して落書き入力を実行するための編集画面等の各種画面や、実行されるプレイ方法（コース）の選択などの選択肢や、遊戯に必要な画像を適宜表示する表示手段としての機能と、利用者がタッチペン４２等で触れることにより、利用者からの操作を受け付ける受付手段としての機能を有する。
【００６３】
上記タッチペン４２は、ペン形状の入力装置であって、編集用タッチパネルディスプレイ４１にタッチすることで、使用する項目（ボタン）の選択、操作の選択等の選択入力や情報の入力を行なうための入力手段として機能する。このタッチペン４２は、本装置に複数備えられて同時に複数の利用者からの入力操作を可能にしている。なお、利用者からの複数の操作を受け付ける操作部（操作ボタン等）を設けてもよい。
【００６４】
上記編集用タッチパネルディスプレイ４１は、編集プレイにおける編集の待機時間中に、利用者の所持するカメラつき携帯電話（以降、説明の便宜上「カメラ付携帯」という）等のカメラで撮影するための撮影用画像を表示する本発明の表示手段として機能する。ここで、上記編集用タッチパネルディスプレイ４１に表示される撮影用画像としては、カメラ３１で撮影された撮影画像、この撮影画像に編集入力を行った編集画像、後述する編集途中のキャプチャ画像、記憶部１０４にあらかじめ記憶された記憶画像等を用いることができる。
【００６５】
また、上記編集プレイ提供部４０には、編集用タッチパネルディスプレイ４１に撮影用画像を表示してカメラ付携帯で撮影を行う際に蛍光灯４４や照明の光線の入射を遮蔽する遮蔽部材４３が設けられている。
【００６６】
上記遮蔽部材４３は、編集入力をする時は収納されて照明手段である蛍光灯４４の光を通し、撮影用画像を表示する時は、蛍光灯４４の光を遮蔽するように配備されて、照明手段である蛍光灯４４の光を遮蔽することが好ましい。ＣＰＵ１０３ｂは、現在編集入力処理が行なわれているか、撮影用画像表示処理が行なわれているかを判定することによって遮蔽部材４３が自動的に収納／配備するよう制御する。もちろん利用者に遮蔽部材４３を収納／配備するよう通知することによって、利用者が手動で収納／配備するような機構であってもよい。このような遮蔽部材４３を配備することで、編集入力時は空間を明るく保つことができ、撮影用画像の撮影時には、蛍光灯４４などの光が入射するのを遮蔽して、編集用タッチパネルディスプレイ４１に光の像が写り込まないようにすることができる。
【００６７】
また、上記編集空間４の背後には、筐体１の上部に取り付けられたフレームから遮蔽カーテンが吊設されている（図示せず）。上記遮蔽カーテンおよび遮蔽部材４３は、いずれも本発明の遮蔽手段として機能する。
【００６８】
上記プリント提供部５０にはプリント取出口５２が設けられ、このプリント取出口５２の上部には、印刷中であることを報知する報知手段としての印刷中ランプ５３、プリンタ５５に充填された印刷媒体１５が空になったことやプリンタ５５にエラーが発生したことを報知するエラーランプ５４が備えられている。
【００６９】
また、上記プリント提供部５０には、印刷完了の待機時間中に、利用者のカメラ付携帯等で撮影するための撮影用画像を表示する本発明の表示手段として機能する印刷待機用タッチパネルディスプレイ５１が設けられている。ここで、上記印刷待機用タッチパネルディスプレイ５１に表示される撮影用画像としては、カメラ３１で撮影された撮影画像、この撮影画像に編集入力を行った編集画像、後述する編集途中のキャプチャ画像、記憶部１０４にあらかじめ記憶された記憶画像等を用いることができる。
【００７０】
上記プリント提供部５０に臨む印刷待機空間５の上部には、光を通さない天井部６ｂが設けられ、撮影待機空間２の背後には、上記天井部６ｂから遮蔽カーテン７ｂが吊設されている。上記天井部６ｂ、遮蔽カーテン７ｂは、本発明の遮蔽手段として機能する。
【００７１】
上記撮影待機部２０には、撮影の待機時間中に、利用者のカメラ付携帯等で撮影するための撮影用画像を表示する本発明の表示手段として機能する撮影待機用タッチパネルディスプレイ２１が設けられている。ここで、上記撮影待機用タッチパネルディスプレイ２１に表示される撮影用画像としては、記憶部１０４にあらかじめ記憶された記憶画像等を用いることができる。
【００７２】
上記撮影待機用タッチパネルディスプレイ２１の下には、カメラ付携帯等で撮影する際にカメラ付携帯を持った腕のひじを載せて安定させるためのひじおき台２２が設けられている。さらに、上記撮影待機空間２の上部には、光を通さない天井部６ａが設けられ、撮影待機空間２の背後には、上記天井部６ａから遮蔽カーテン７ａが吊設されている。上記天井部６ａ、遮蔽カーテン７ａは、本発明の遮蔽手段として機能する。
【００７３】
図３は、撮影待機部２０の第２例であり、この例では、ひじおき台２２、上記天井部６ａ、遮蔽カーテン７ａが設けられておらず、撮影待機用タッチパネルディスプレイ２１の周囲に遮蔽部材２３が設けられている。遮蔽部材２３によって装置を設置する店舗内の照明や、照明手段としての蛍光灯２４の光を遮蔽することができ、撮影待機用タッチパネルディスプレイ５１に光の像が写り込まないようにすることができる。また、遮蔽部材２３を配置するだけで光を遮蔽することができるので、遮蔽カーテン等を設置する必要がなく省スペースであり、店舗で本装置をレイアウトする際に邪魔にならない。また、プリント提供部５０も上記のような遮蔽部材２３を用いた構成としてもよい。
【００７４】
上記装置において、本発明の表示手段としての撮影待機用タッチパネルディスプレイ２１、編集用タッチパネルディスプレイ４１、印刷待機用タッチパネルディスプレイ５１の表面に、上記ディスプレイへの照明や光線の写り込みを防止する防止手段を施すこともできる。上記防止手段としては、２種類の屈折率の異なる物質を２重にディスプレイ表面にコーティングするＡＲコートや、シリカをディスプレイ表面に吹き付けるシリカコート等のノングレア処理を採用することができる。
【００７５】
このようなコーティングを各ディスプレイの表面に施す、または反射を防止する部材を表面に設けることによって、ディスプレイの反射を防止することができるため、ディスプレイの前にいる利用者やその周囲、蛍光灯などの像がディスプレイに写り込むことを防止することができる。
【００７６】
［写真シール作成装置のシステム構成］
つぎに、図４を参照して、本実施例の装置におけるシステム構成について説明する。
【００７７】
本装置は、主に撮影処理等の本装置を動作させるための処理を実行する撮影用コンピュータ装置１０１ａと、主に後述の編集処理および印刷処理等の本装置を動作させるための処理を実行する編集・印刷用コンピュータ装置１０１ｂと、基板等から構成され、動作中の撮影用コンピュータ装置１０１ａおよび編集・印刷用コンピュータ装置１０１ｂからの指示を受け付けて、接続されている各種装置を制御する制御部１０２とを備える。
【００７８】
上記撮影用コンピュータ装置１０１ａは、カメラ３１、ライブモニタ３２、撮影用タッチパネルディスプレイ３３、撮影待機用タッチパネルディスプレイ２１および制御部１０２等と接続され、それらを制御する。編集・印刷用コンピュータ装置１０１ｂは、編集用タッチパネルディスプレイ４１、印刷待機用タッチパネルディスプレイ５１、タッチペン４２、プリンタ５５、制御部１０２等と接続され、それらを制御する。撮影用コンピュータ装置１０１ａと編集・印刷用コンピュータ装置１０１ｂは互いに接続され、画像データや情報データ等の情報の授受を行なう。
【００７９】
各コンピュータ装置に接続する構成要素は、このような形態に限定するものではなく、機能別に分かれていたり位置別に分かれていたりしてもよい。さらに、コンピュータ装置は本実施形態のような２台で構成されていなくてもよく、１台で構成されてもよいし、さらに２台以上備えられていてもよい。
【００８０】
撮影用コンピュータ装置１０１ａは、各種機器の制御を行なう演算装置であるＣＰＵ（Ｃｅｎｔｒａｌ  Ｐｒｏｃｅｓｓｉｎｇ  Ｕｎｉｔ）１０３ａと、装置を動作させるためのプログラム、そのプログラムで必要なグラフィックデータ、音声データ、撮影された画像（撮影画像）、およびその他の各種画像等を記憶する本発明の記憶手段としての記憶部１０４ａと、プログラムの一時的な作業領域ともなるメモリ１０５ａとを含んで構成されている。
【００８１】
上記ＣＰＵ１０３ａは、撮影用コンピュータ装置１０１ａの制御処理を実行する制御手段として機能し、後述する各種制御処理を実行する。
【００８２】
撮影用コンピュータ装置１０１ａは、電源プラグより電源が供給されている状態で電源スイッチ１００が押されると、本装置に電源が投入されて上記プログラムが起動されて動作する。そして、接続されるカメラ３１のシャッタタイミングや、ライブモニタ３２での表示や、撮影用タッチパネルディスプレイ３３での表示を制御する。
【００８３】
撮影用コンピュータ装置１０１ａは、撮影待機用タッチパネルディスプレイ２１に対し記憶部１０４ａにあらかじめ記憶された記憶画像を、カメラ付携帯等で撮影するための撮影用画像として表示する制御を行う。
【００８４】
編集・印刷用コンピュータ装置１０１ｂは、各種機器の制御を行なう演算装置であるＣＰＵ１０３ｂと、装置を動作させるためのプログラム、そのプログラムで必要なグラフィックデータ、音声データ、撮影された画像（撮影画像）、およびその他の各種画像等を記憶する本発明の記憶手段としての記憶部１０４ｂと、プログラムの一時的な作業領域ともなるメモリ１０５ｂとを含んで構成されている。
【００８５】
ＣＰＵ１０３ｂは、編集・印刷用コンピュータ装置１０１ｂの制御処理を実行する制御手段として機能し、後述する各種制御処理を実行する。編集・印刷用コンピュータ装置１０１ｂは、電源プラグより電源が供給されている状態で電源スイッチ１００が押されると、本装置に電源が投入されて上記プログラムが起動されて動作する。そして、接続される編集用タッチパネルディスプレイ４１の表示、印刷待機用タッチパネルディスプレイ５１の表示、プリンタ５５での出力等を制御する。
【００８６】
編集・印刷用コンピュータ装置１０１ｂは、編集用タッチパネルディスプレイ４１に対し、撮影画像・編集画像・キャプチャ画像・記憶画像を、カメラ付携帯等で撮影するための撮影用画像として表示する制御を行う。また、編集・印刷用コンピュータ装置１０１ｂは、印刷待機用タッチパネルディスプレイ５１に対し、撮影画像・編集画像・キャプチャ画像・記憶画像を、カメラ付携帯等で撮影するための撮影用画像として表示する制御を行う。
【００８７】
上記プリンタ５５は、撮影画像や上記カメラ３１による撮影画像を基にして作成された合成画像である編集画像を紙、シール、金属やプラスチック等の印刷媒体１５に印刷出力するための印刷手段であって、昇華型プリンタやサーモオートクローム方式（光定着型直接感熱記録方式）等のプリンタが用いられる。なお、本装置では、プリンタ５５は、シールに印刷するものとして説明を行なうが、印刷媒体１５は、シールに限定されず、他の印刷媒体であっても同様の処理が実行される。また、プリンタ５５は、上述の用紙切れ等のプリンタ５５に関する情報を編集・印刷用コンピュータ装置１０１ｂに送信する。編集・印刷用コンピュータ装置１０１ｂは、その情報に応じて制御部１０２に制御信号を送信する。
【００８８】
上記撮影用コンピュータ装置１０１ａは、カメラ３１で撮影された画像を受信し該画像データを記憶部１０４ａ等（メモリ１０５ａを含む）へ記憶する。また、上記撮影用コンピュータ装置１０１ａは、上記プログラムの実行や撮影用タッチパネルディスプレイ３３から受信した指示信号（利用者の指等でタッチされることで行なわれる入力操作に応じた信号）に基づいて、制御部１０２に対して制御信号を送信し各機器を制御する。
【００８９】
また、上記撮影用コンピュータ装置１０１ａは、ライブモニタ３２に対するライブ画像の表示処理等を実行したり、シャッタ動作を行ったりするよう、制御部１０２、ストロボ制御部９９、ライブモニタ３２等を制御する。
【００９０】
上記編集・印刷用コンピュータ装置１０１ｂは、上記プログラムや、編集用タッチパネルディスプレイ４１、印刷待機用タッチパネルディスプレイ５１から受信した指示信号に基づいて、制御部１０２に対して制御信号を送信し各機器を制御する。また、編集用タッチパネルディスプレイ４１は、それぞれ各タッチペン４２等でタッチされることによって行なわれる入力操作を受け付け、その入力操作に応じた信号を編集・印刷用コンピュータ装置１０１ｂへ入力し、編集・印刷用コンピュータ装置１０１ｂは、その信号に基づいて編集用タッチパネルディスプレイ４１の表示を制御する。
【００９１】
また、本装置は、電源を必要とする撮影用コンピュータ装置１０１ａ、編集・印刷用コンピュータ装置１０１ｂ、制御部１０２、各照明装置の蛍光灯等の各種装置の電源系統を制御する電源制御部９８を備え、電源制御部９８により外部からそれらの装置に対する電源の電圧を安定させるよう制御する。
【００９２】
上記電源の投入および切断は、電源スイッチ１００を押すことで行なわれる。しかし、電源切断により各コンピュータ装置１０１ａ，１０１ｂで動作しているプログラムを強制的に終了させることは、動作を不安定にさせる原因となる場合がある。そのため、電源が落とされても、しばらくはＵＰＳ（Ｕｎｉｎｔｅｒｒｕｐｔｅｄ  Ｐｏｗｅｒ  Ｓｕｐｐｌｙ）９７が電源をバックアップし、各コンピュータ装置１０１ａ，１０１ｂに停電信号を送信する。その間に、各コンピュータ装置１０１ａ，１０１ｂはプログラムの終了の手続（処理）を行ない、プログラムを正常に終了させる。また、各コンピュータ装置１０１ａ，１０１ｂは、終了操作等により異常なく正規の手順でプログラムを終了した場合は、その旨の信号をＵＰＳ９７に送信する。
【００９３】
上記制御部１０２は、コンピュータ装置１０１ａ，１０１ｂおよび電源制御部９８の他に、ストロボ制御部９９、撮影用スピーカ３９、編集用スピーカ４６、コイン制御部１１２、印刷中ランプ５３、およびエラーランプ５４と接続され、これらを制御する。
【００９４】
また、上記制御部１０２は、撮影用タッチパネルディスプレイ３３に入力されたシャッタ操作入力によりその操作タイミングで上記撮影用コンピュータ装置１０１ａに対してカメラ３１にシャッタ動作を実行させるためのカウントダウンを開始させる。上記ストロボ制御部９９は、カメラ３１とも接続され、カメラ３１におけるシャッタタイミングに応じた同期信号を取得する。そして、カメラ３１のシャッタタイミングに同期させて、各照明装置のフラッシュを発光させるよう制御する。
【００９５】
撮影用スピーカ３９、編集用スピーカ４６は、それぞれ各コンピュータ装置１０１ａ，１０１ｂからの指示に基づいて、制御部１０２を介して指示信号を受信し、本装置のプレイにおける操作等の各種案内や撮影時のＢＧＭ等の各種の音を出力する。
【００９６】
上記コイン制御部１１２は、コイン投入口３５（図１）に投入されたコインの真偽を検出し、制御部１０２にコインが投入されたことを示すコイン検出信号を送信する。また、コイン制御部１０７は、利用者に対してコイン投入を禁止するときは、上記制御部１０２からの信号により、コインが投入されないようにコイン投入口３５をブロックすることができる。これにより、例えばプレイ中にコイン投入を禁止することができる。
【００９７】
上記制御部１０２は、コイン制御部１０７からコイン検出信号を受信すると、そのコイン検出信号を撮影用コンピュータ装置１０１ａに送信する。撮影用コンピュータ装置１０１ａは、制御部１０２から受信したコイン検出信号に基づいて各種装置を制御するようになっている。
【００９８】
さらに、制御部１０２は、編集・印刷用コンピュータ装置１０１ｂから、プリンタ５５の状態に応じた制御信号を受信し、該制御信号に基づいて印刷中ランプ５３やエラーランプ５４を制御する。かかる制御信号によって、印刷中ランプ５３やエラーランプ５４が点灯または点滅する。
【００９９】
なお、本装置の形態は、図１〜図４に示される具体例に限定されるものではない。すなわち、図１〜図４に示していない機能や装置が備えられていてもよいし、図１〜図４に示している機能や装置が必ずしも全て備えられていなくても構わない。例えば、プリンタ５５は、筐体１内に設けられなくともよく、ＬＡＮ等の通信回線や無線通信等を介して印刷制御信号を外部に設けられた外部プリンタに出力してもよい。
【０１００】
［画像プリント提供方法およびプログラムの処理］
つぎに、フローチャートを参照して、撮影用コンピュータ装置１０１ａの制御処理の一例について説明する。
【０１０１】
画像プリント提供装置に備わる電源スイッチが操作されると、各種装置の電源が投入される。すると、撮影用コンピュータ装置１０１ａのＣＰＵ１０３ａに格納された動作プログラムが起動する。撮影用コンピュータ装置１０１ａは、各種装置が正常に接続されているかチェックし、初期化が必要な装置に対しては初期化を行なう。
【０１０２】
その後、撮影待機用タッチパネルディスプレイ２１（図５のステップＳ１）に図７に示す案内画面を表示し、撮影用タッチパネルディスプレイ３３（図１０のステップＳ２１）に図１１に示すタイトルデモ画面を表示し、編集用タッチパネルディスプレイ４１（図１２のステップＳ５１）に図１３に示す待機画面を表示し、印刷待機用タッチパネルディスプレイ５１(図２２のステップＳ７１)に図１３と同様の待機画面を表示する。
【０１０３】
本画像プリント提供装置は、上述の各々の空間におけるプレイを独立して制御するようになされており、別グループの利用者を同時に接客することができる。１つのグループ（利用者）が本画像プリント提供装置を利用する際の大まかな流れを説明する。先の利用者が撮影プレイを行なっている場合は、撮影待機空間２で撮影待機し、先の利用者の撮影プレイが終了したら、撮影空間３へ移動して撮影プレイを行なう。先の利用者がいない場合は撮影空間３での撮影プレイから開始する。撮影プレイが終了したら、編集空間４へ移動して編集プレイを行なう。編集プレイが終了したら、印刷待機空間５へ移動して印刷待機し、印刷終了したらシールシートがプリント取出口５２に排出され、利用者はそのシールシートを受け取る。
【０１０４】
［撮影待機空間で行なわれる撮影待機処理］
まず、図５を用いて撮影待機空間２で行なわれる撮影待機処理について説明する。
【０１０５】
図５は、本実施形態における画像プリント提供装置の撮影待機空間２で行なわれる撮影待機処理を示すフローチャートである。図５のフローチャートに示される処理は、撮影用コンピュータ装置１０１ａのＣＰＵ１０３ａが、記憶部１０４ａに格納された動作プログラムをメモリ１０５ａに読出して実行することによって実現される。
【０１０６】
先の利用者が画像プリント提供装置を利用中（撮影空間３で撮影プレイ中）に、次の利用者が本画像プリント提供装置を利用しようとする場合、次の利用者は利用を待機しなくてはならず、利用者は待機中に退屈感を感じてしまう。撮影待機空間２では、撮影待機用タッチパネルディスプレイ２１に携帯電話に付属のカメラ等で撮影するための撮影用画像（以下「携帯撮影用画像」という）を表示し、利用者が所持する携帯電話等のカメラで撮影させて、待受画像として提供することによって、撮影待機中の退屈感を軽減するとともに、利用者にお得感を感じさせるようにする。
【０１０７】
より具体的に、フローチャートを参照して、上述の初期化処理が終了すると、ＣＰＵ１０３ａは、利用者が画像プリント提供装置の撮影空間３に入ってコインを投入することによって撮影プレイを開始するよう促す案内画面を撮影待機用タッチパネルディスプレイ２１に表示する（Ｓ１）。図７はここで表示される案内画面の具体例である。図７のように「中に入ってコインを投入してね」と表示する。撮影空間３に誘導するような図や絵などで示してもよい。このような案内表示によって、撮影空間３内で撮影プレイをしている先の利用者がいない場合、利用者は撮影空間３に誘導される。
【０１０８】
そして、ＣＰＵ１０３ａはコイン制御部１１２において、画像プリント提供装置を利用するため必要な対価である所定数のコインがコイン投入口３５に投入されたか否かを監視する（Ｓ３）。撮影空間３において、所定数の対価が投入された場合（Ｓ３でＹＥＳ）、図８に示す携帯撮影用画像の選択画面を表示する（Ｓ５）。図８は、携帯撮影用画像の選択画面の具体例である。複数の携帯撮影用画像をサムネイル６０で表示し、選択可能にしている。ここで表示される携帯撮影用画像は、記憶部１０４ａにあらかじめ記憶された記憶画像である。
【０１０９】
表示された携帯撮影用画像のうち、いずれかのサムネイル６０をタッチすることにより画像が選択されたら（Ｓ７でＹＥＳ）、図９に示すように、携帯撮影用画像６１を撮影待機用タッチパネルディスプレイ２１に大きく表示する（Ｓ９）。携帯撮影用画像６１は所定時間表示され、その間利用者は、表示された携帯撮影用画像６１をカメラ付携帯等で撮影を行う。所定時間の表示ののち、ステップＳ１０へ移る。いずれかが選択されていなければ（Ｓ７でＮＯ）、そのままステップＳ１０へ移る。
【０１１０】
ステップＳ１０では、撮影プレイ提供部３０での撮影プレイが終了しているか否かを監視し、撮影プレイが終了していなければ（Ｓ１１でＮＯ）、ステップＳ７に戻って携帯撮影用画像の選択・表示・撮影の待機プレイを続け、撮影プレイが終了していれば（Ｓ１１でＹＥＳ）、撮影待機用タッチパネルディスプレイ２１に撮影空間３に移動して撮影プレイの開始を促す案内画面を表示してステップＳ１に戻る。
【０１１１】
このように、この処理では、撮影プレイに対する待機時間が終了するまで携帯撮影用画像を表示して、利用者手持ちのカメラ付携帯で携帯撮影用画像の撮影をさせるという撮影待機プレイを実行するようになっている。
【０１１２】
図９は、携帯撮影用画像６１の表示画面の具体例であり、この例では、携帯撮影用画像６１はカレンダー画像である。ＣＰＵ１０３ａは現在日時を取得して、例えば利用した日が４月１日なら４月のカレンダー画像を表示するなどのように、現在日時に対応したカレンダーを表示する。
【０１１３】
もちろん携帯撮影用画像６１はカレンダー画像に限定するものではない。人気のあるキャラクタ画像や、壁紙などの模様画像や、モデルの撮影画像など、利用者が所持するカメラ付きの携帯電話のカメラで撮影することによって、待受画像にできる画像であればよい。
【０１１４】
このように、先の利用者がまだ撮影プレイ中で、撮影前に待機しなくてはならない場合に、携帯撮影用画像を撮影空間３以外の場所にある空間（ここでは撮影待機空間２）にある撮影待機用タッチパネルディスプレイ２１に表示することで、利用者に退屈感を感じさせないようにすることができる。
【０１１５】
［撮影待機処理の第２例］
図６は撮影待機空間２で行なわれる撮影待機処理の第２例を示すフローチャートである。この例は、コイン投入口３５が撮影プレイ提供部３０ではなく、撮影待機部２０に設けられた場合の撮影待機処理である。
【０１１６】
図６のフローチャートに示される処理は、撮影用コンピュータ装置１０１ａのＣＰＵ１０３ａが、記憶部１０４ａに格納された動作プログラムをメモリ１０５ａに読出して実行することによって実現される。
【０１１７】
まず、撮影待機空間２で利用者に対価であるコインを投入させ、前の利用者が撮影空間３で撮影プレイを行っていれば、そのまま撮影待機空間２で、撮影待機用タッチパネルディスプレイ２１に携帯撮影用画像を表示して、利用者が所持する携帯電話等のカメラで撮影させる。前の利用者が撮影空間３にいない場合は、すぐに撮影空間３に移動して撮影プレイを行うか、そのまま撮影待機空間２で、携帯撮影用画像をカメラ付携帯等で撮影を行うかを利用者に選択させることが行われる。
【０１１８】
具体的には、上述の初期化処理が終了すると、ＣＰＵ１０３ａは、利用者が画像プリント提供装置の撮影待機空間２に入ってコインを投入して一連のプレイを開始するよう促す案内画面を撮影待機用タッチパネルディスプレイ２１に表示する（Ｓ１１）。
【０１１９】
そして、ＣＰＵ１０３ａはコイン制御部１１２において、画像プリント提供装置を利用するため必要な対価である所定数のコインがコイン投入口３５に投入されたか否かを監視する（Ｓ１２）。撮影待機空間２において、所定数の対価が投入された場合（Ｓ１２でＹＥＳ）、ＣＰＵ１０３ａは撮影プレイ提供部３０で撮影プレイが実行中であるか否かを判断する（Ｓ１３）。
【０１２０】
ステップＳ１３において、撮影プレイ提供部３０で先の利用者が撮影プレイを実行中であれば（Ｓ１３でＹＥＳ）ステップＳ１５に移る。一方、撮影プレイ提供部３０で撮影プレイが実行中でなければ（Ｓ１３でＮＯ）、ステップＳ１４に進み、すぐに撮影空間３に移動して撮影プレイを始めるか、そのまま撮影待機空間２で携帯撮影用画像の撮影を行うかの選択を促す画面を撮影待機用タッチパネルディスプレイ２１に表示し、利用者にその選択を促す（Ｓ１４）。
【０１２１】
ステップＳ１４において、すぐに撮影空間３に移動して撮影プレイを始める旨の選択入力があると（Ｓ１４でＹＥＳ）、ステップＳ１７に進み、「撮影空間に移動してね」という撮影空間３への移動を促す案内画面を撮影待機用タッチパネルディスプレイ２１に表示し、ステップ１１に戻る。
【０１２２】
一方、ステップＳ１４において、そのまま撮影待機空間２で携帯撮影用画像の撮影を行う旨の選択入力があると（Ｓ１４でＮＯ）、ステップＳ１５に進み、図８に示す携帯撮影用画像の選択画面を表示し、サムネイル６０を表示し、サムネイルが選択されたら携帯撮影用画像６１を撮影待機用タッチパネルディスプレイ２１に大きく表示する（Ｓ１５）。携帯撮影用画像６１は所定時間表示され、その間利用者は、表示された携帯撮影用画像６１をカメラ付携帯等で撮影を行う。所定時間の表示ののち、ステップＳ１６へ移る。
【０１２３】
ステップＳ１６では、撮影プレイ提供部３０での撮影プレイが終了しているか否かを監視し、撮影プレイが終了していなければ（Ｓ１６でＮＯ）、ステップＳ１５に戻って携帯撮影用画像の選択・表示・撮影の待機プレイを続け、撮影プレイが終了していれば（Ｓ１６でＹＥＳ）、撮影待機用タッチパネルディスプレイ２１に撮影空間３に移動して撮影プレイの開始を促す案内画面を表示してステップＳ１１に戻る。
【０１２４】
このように、この処理では、撮影プレイに対する待機時間が終了するまで携帯撮影用画像を表示して、利用者手持ちのカメラ付携帯で携帯撮影用画像を撮影させるという撮影待機プレイを実行するようになっている。
【０１２５】
［撮影空間で行なわれる撮影処理］
次に、図１０を用いて撮影空間３で行なわれる撮影処理について説明する。
【０１２６】
図１０は、本実施形態における画像プリント提供装置の撮影空間３で行なわれる撮影処理を示すフローチャートである。図１０のフローチャートに示される処理は、撮影用コンピュータ装置１０１ａのＣＰＵ１０３ａが、記憶部１０４ａに格納された動作プログラムをメモリ１０５ａに読出して実行することによって実現される。撮影処理では、被写体である利用者を数回撮影する。
【０１２７】
より具体的に、フローチャートを参照して、上述の初期化処理が終了すると、図１１に示すように、ＣＰＵ１０３ａはコイン投入口３５に、コインを投入することによって撮影プレイを開始するよう促すタイトルデモ画面を撮影用タッチパネルディスプレイ３３に表示する（Ｓ２１）。図１１はタイトルデモ画面の具体例である。図１１のように、タイトルデモ画面には、本画像プリント提供装置の商品名「○○」と「コインを投入してね」という案内とを表示するとともに、撮影用タッチパネルディスプレイ３３の表示に対応して撮影用スピーカ３９から音声案内を出力する（Ｓ２１）。
【０１２８】
撮影用タッチパネルディスプレイ３３にタイトルデモ画面が表示されている状態のとき、サービスパネル１１３のテストボタンをタッチすることによって（Ｓ２３）、画像プリント提供装置のメンテナンスを行なうためのテストモード（Ｓ２５）を起動することができる。
【０１２９】
また、ＣＰＵ１０３ａはコイン制御部１１２において、画像プリント提供装置を利用するためのコインがコイン投入口３５に投入されたか否かを監視する（Ｓ２７）。そして、タイトルデモ表示中にコインの投入を受け付け、所定数の対価が投入された場合（Ｓ２７でＹＥＳ）、撮影処理を開始する（Ｓ２９）。複数の撮影コースで構成されている場合は、撮影前に利用者から撮影コースの選択を受付ける。
【０１３０】
まず、画像プリント提供装置における処理（プレイ）は、撮影プレイから始まる。はじめに、カメラ３１が取得する画像を、ライブモニタ３２にリアルタイム表示する。利用者は、ライブモニタ３２に表示される画像を見ながら、好みの表情やポーズをとることができる。
【０１３１】
利用者は所定の撮影案内に従い順次撮影していく。ＣＰＵ１０３ａは所定回数撮影したか否かを判定する（Ｓ３１）。所定回数撮影していない場合（Ｓ３１でＮＯ）、ステップＳ２９に戻り撮影を繰り返し行なう。所定回数撮影した場合（Ｓ３１でＹＥＳ）、ステップＳ３３に移る。なお、撮影処理は、所定の時間が経過したら撮影プレイを終了するという形態でもよい。
【０１３２】
さらに、所定回数の撮影終了後に、所定の時間が経過していない場合、または、編集空間４で他の利用者が操作している場合に、これらの条件がクリアされるまで、撮影を繰返し行なってもよい。あるいは、編集空間４で他の利用者が操作している場合に、編集プレイを待機する待機時間中に、携帯撮影用画像を撮影用タッチパネルディスプレイ３３に表示して、撮影を行なわせてもよい。
【０１３３】
この場合、ＣＰＵ１０３ａは、編集プレイ提供部４０での編集プレイが終了しているか否かを監視し、編集プレイが終了していなければ携帯撮影用画像の選択・表示・撮影の待機プレイを続け、編集プレイが終了していればステップＳ３３に進む。このように、この処理では、編集プレイに対する待機時間が終了するまで携帯撮影用画像を表示して、利用者手持ちのカメラ付携帯で携帯撮影用画像を撮影させるという待機プレイを実行する。
【０１３４】
一方、所定回数の撮影が終了すると（Ｓ３１でＹＥＳ）、撮影した画像を撮影用タッチパネルディスプレイ３３に全て表示し、落書きする画像（編集対象画像）の選択を受付ける編集対象画像選択処理を行なう（Ｓ３３）。ＣＰＵ１０３ａは、編集対象画像の選択を受付けたら、必要なデータを編集プレイに使用できるように編集・印刷用コンピュータ装置１０１ｂに転送し（Ｓ３５）、編集空間４に移動して落書きをするよう促す案内を表示して、ステップＳ２１へ戻り、タイトルデモ画面を再び表示する。
【０１３５】
上述の実施例では、撮影中の利用者がいないときは、すぐに撮影プレイを開始することが可能となっている。一方、撮影中であれば、撮影待機プレイをしながら、撮影を待機することができる。
【０１３６】
［編集空間で行なわれる編集処理］
次に、編集空間４で行なわれる編集・印刷処理について図１２のフローチャートを用いて説する。
【０１３７】
図１２は、本実施形態における画像プリント提供装置の編集空間４で行なわれる編集・印刷処理を示すフローチャートである。図１２のフローチャートに示される処理は、編集・印刷用コンピュータ装置１０１ｂのＣＰＵ１０３ｂが、記憶部１０４ｂに格納された動作プログラムをメモリ１０５ｂに読出して実行することによって実現される。編集・印刷処理では、編集対象画像として選択された撮影画像にスタンプ画像やペン画像などの落書き画像を入力し、撮影画像と落書き画像を合成した画像をシールシート等の印刷媒体１５に印刷する。
【０１３８】
より具体的に、フローチャートを参照して、上述の初期化処理が終了すると、ＣＰＵ１０３ａは、まず、図１３に示すような撮影空間３で撮影プレイをはじめるよう促す待機画面を編集用タッチパネルディスプレイ４１に表示し（Ｓ５１）、同時に編集用タッチパネルディスプレイ４１の表示に対応して編集用スピーカ４６から音声案内を出力する。
【０１３９】
撮影処理が終了すると、撮影用コンピュータ装置１０１ａから編集・印刷用コンピュータ装置１０１ｂへ編集対象画像などの必要なデータが転送される（図１０のステップＳ３５）。ＣＰＵ１０３ｂは、撮影用コンピュータ装置１０１ａからデータ転送が開始されたか否かを監視する（Ｓ５３）。
【０１４０】
撮影用コンピュータ装置１０１ａから、データ転送が開始されていない場合（Ｓ５３でＮＯ）、タッチパネルディスプレイ４１に、引き続き待機画面を表示して、データ転送が開始されたか否かを監視する。データ転送が開始された場合（Ｓ５３でＹＥＳ）、データ転送中画面を表示する（Ｓ５５）。
【０１４１】
図１４はタッチパネルディスプレイ４１に表示されるデータ転送中画面の具体例を示す図である。データ転送中に図示のように「落書きプレイの後に、画像をカメラ付き携帯電話で撮影するための専用の画面を表示するよ！専用画面に表示された画像を撮影すれば、画像を簡単に待ち受けにすることができるよ！携帯電話を準備しておいてね！」というような事前に撮影用画像を表示する旨を案内する案内手段としての案内画面を表示する。
【０１４２】
本実施形態における画像プリント提供装置においては、編集入力（落書き）処理後の印刷待ちの間（印刷待機中）、印刷待機空間５にある印刷待機用タッチパネルディスプレイ５１に、カメラ付き携帯電話のカメラ等で撮影するための携帯撮影用画像を表示する。編集入力処理が終了した後、何の予告もなく印刷待機中に携帯撮影用画像を表示する画面が表示されると、利用者が携帯電話の準備を行なっているうちに時間が過ぎてしまい、時間の無駄になってしまうという問題がある。このような時間の無駄をなくすために、上述の転送中画面における表示のように、携帯撮影用画像の表示を編集入力（落書き）プレイ後に行なうことの案内や、携帯電話の準備をしておくように促す案内を予め行なっておくことが好ましい。このような、携帯電話の準備をしておくように促す案内は、撮影プレイ前のタイトルデモ画面（図１１参照）やプレイ途中に表示することもできる。
【０１４３】
なお、転送中画面に前述の撮影処理にて撮影した撮影画像や、カレンダー画像、キャラクタ画像、壁紙画像、モデル画像などの記憶画像である携帯撮影用画像６１を編集用タッチパネルディスプレイ４１に表示してもよい（図１４参照）。このようにすることによって転送待機中に、利用者は上記携帯撮影用画像６１を自分のカメラ付携帯等で撮影する待機プレイを行うことができ、利用者に退屈感を感じさせないようにすることができる。
【０１４４】
ついで、ＣＰＵ１０３ｂは、データ転送が完了した否かを監視する（Ｓ５７）。撮影用コンピュータ装置１０１ａからのデータ転送が完了していない場合（Ｓ５７でＮＯ）、引き続きデータ転送が完了したか否かを監視する。データ転送が完了した場合（Ｓ５７でＹＥＳ）、編集入力処理（落書き）へ移行する。このようにして、転送の待機が終了するまで携帯撮影用画像６１を編集用タッチパネルディスプレイ４１に表示し、利用者は待機プレイを行うことができる。
【０１４５】
ついで、ＣＰＵ１０３ｂは、タッチペン４２による編集対象画像に対するスタンプやペンなどの落書き用画像の入力を受付ける編集入力（落書き）処理を行なう（Ｓ５９）。
【０１４６】
［編集入力処理］
ここで、ステップＳ５９の編集入力（落書き）処理について、図１５のフローチャートを用いて詳細な説明を行なう。
【０１４７】
まず、ＣＰＵ１０３ｂは、図１６に示す編集画面を表示し（Ｓ１０１）、編集制限時間をカウントするために、タイマ計測を開始する（Ｓ１０３）。
【０１４８】
利用者は、編集制限時間内は図１６のような編集画面において編集プレイを行なうことができる。編集画面は複数の同じ機能を持った領域（ここでは領域Ｌ及び領域Ｒ）で構成され、領域Ｌは専用のタッチペン４２Ｌを用い、領域Ｒはタッチペン４２Ｒを用いてそれぞれ同時に編集入力（落書き）を行なうことができるようになっている。このような構成によって、同一グループ内の複数の利用者が同時に編集入力（落書き）を行なうことができる。もちろん、編集画面の領域は単数で構成されていてもよい。
【０１４９】
図１６を参照して、上記編集画面を説明すると、上記編集画面は、編集可能時間のカウントダウンを示すためのタイマ２０１と、編集対象画像の中から落書きする画像を選択するための編集対象画像選択領域２０２と、落書きの機能を選択するための機能選択ボタン２０３と、機能選択ボタン２０３で選択された機能をカテゴリー別に分類した機能タブ２０４Ｌ、２０４Ｒ（これらをまとめて機能タブ２０４という）と、選択した機能のうち柄や色などの模様を選択するための模様選択領域２０５Ｌ、２０５Ｒ（これらをまとめて模様選択領域２０５という）と、編集対象画像を大きく表示して編集入力（落書き）をするための編集入力領域２０６Ｌ、２０６Ｒ（これらをまとめて編集入力領域２０６という）と、編集入力処理を終了させるための「おしまい」ボタン２０７Ｌ、２０７Ｒ（これらをまとめて「おしまい」ボタン２０７という）と、編集入力した模様画像を全てはじめからやり直すための「はじめから」ボタン２０８Ｌ、２０８Ｒ（これらをまとめて「はじめから」ボタン２０８という）と、編集入力した模様画像を消すための「けしごむ」ボタン２０９Ｌ、２０９Ｒ（これらをまとめて「けしごむ」ボタン２０９という）と、編集入力を１つ前の状態に戻すための「もどる」ボタン２１０Ｌ、２１０Ｒ（これらをまとめて「もどる」ボタン２１０という）などから構成されている。
【０１５０】
また、上記編集画面には、編集入力領域２０６に表示されている現在入力中の画像を記憶するための「キャプチャ」ボタン２１１Ｌ、２１１Ｒ（これらをまとめて「キャプチャ」ボタン２１１という）と、現在記憶されているキャプチャ画像２１３を一覧表示するためのキャプチャ画像表示領域２１２が設けられている。キャプチャ画像表示領域２１２に表示されるキャプチャ画像２１３の近傍には、各キャプチャ画像２１３を削除するための削除ボタン２１４が表示される。本発明では、記憶された編集入力（落書き）途中の画像のことを「キャプチャ画像」という。
【０１５１】
本実施の形態においては、上述のように編集入力（落書き）途中の画像を本発明のキャプチャ手段としての記憶部１０４ｂに記憶することができるようになっている。このようにすることによって、同一の編集対象画像に対して異なる編集入力（落書き）を行なうことができ、多様な画像を利用者に提供することができる。
【０１５２】
キャプチャ画像２１３は所定枚数（ここでは８枚）を上限として、登録（記憶部１０４ｂに記憶）できるようになっており、図１７に示すように、所定数以上のキャプチャ画像２１３の登録がない場合に「キャプチャ」ボタン２１１がタッチされた場合、現在の編集入力領域２０６に表示されている画像（編集対象画像と落書き用画像との合成画像）をキャプチャ画像２１３として登録（記憶部１０４ｂに記憶）する。そして、図１８に示すように、キャプチャ画像２１３を縮小したキャプチャ画像２１３をキャプチャ画像表示領域２１２に削除ボタン２１４とともに表示する。
【０１５３】
一方、所定数以上のキャプチャ画像２１３が登録されているときは、図１９に示すように登録不可案内７０を表示する。図示のように、「キャプチャ枚数が上限です。削除ボタンを押して、いらないキャプチャ画像を削除してから登録してね」というようなキャプチャ画像登録不可案内７０を表示する。このように、キャプチャ画像２１３を記憶可能な枚数の上限を越えてしまっていることを通知し、現在編集入力中の画像を記憶したい場合には、登録されたキャプチャ画像２１３のいずれかを削除するように案内する表示を行なう。もちろんキャプチャ画像２１３の記憶できる枚数の上限は定めなくてもよい。なお、上述のような登録不可案内７０の表示は、本実施形態のように複数の編集入力領域２０６を有する場合は、他の編集入力領域２０６を用いて落書きをしている利用者の邪魔にならないようにキャプチャ画像２１３を記憶しようとした側の領域のみに表示することが好ましい。
【０１５４】
削除ボタン２１４は、必要のないキャプチャ画像２１３を削除するときに用いる。削除ボタン２１４をタッチすることによって、タッチされた削除ボタン２１４に対応するキャプチャ画像２１３が削除される。
【０１５５】
また、キャプチャ画像表示領域２１２に縮小表示したキャプチャ画像２１３をタッチすると、記憶されているキャプチャ画像２１３が、編集入力領域２０６に表示される。このようにして、登録されているキャプチャ画像２１３の状態から編集入力を再び開始することができる。
【０１５６】
利用者が編集入力処理を行なっている間、ＣＰＵ１０３ｂは、所定の編集制限時間に達したか否かを監視する（Ｓ１０５）。所定の編集制限時間に達した場合は（Ｓ１０５でＹＥＳ）、編集入力処理を終了して、図１２のメインフローへ戻る。所定の編集制限時間に達していない間は（Ｓ１０５でＮＯ）、編集画面上でタッチペンによる編集入力操作がなされたら（Ｓ１０７でＹＥＳ）、該当する入力操作に応じた処理を繰返し行ない（Ｓ１０９）、編集入力処理を継続する。
【０１５７】
そして、「おしまい」ボタン２０７がタッチされた場合（Ｓ１１１でＹＥＳ）、「おしまい」ボタン２０７がタッチされた領域（本実施例では領域Ｒ）とは別の領域（本実施例では領域Ｌ）で編集入力が継続しているか否かを判定する（Ｓ１１３）。別の領域で編集入力が継続中でなければ（Ｓ１１３でＮＯ）、編集入力処理を終了して、図１２のメインフローへ戻る。
【０１５８】
すなわち、編集入力処理は、タイマ２０１の残り時間が“０”になり編集制限時間に達したか、または、入力領域Ｌの「おしまい」ボタン２０７と、入力領域Ｒの「おしまい」ボタン２０７との両方がタッチされることで強制的に終了させることによって終了する。しかしながら、片方はもう編集入力（落書き）を終了してしまいたいが、もう片方はまだ編集入力（落書き）を行ないたい場合なども想定される。このような場合は、片方の利用者が退屈しないように、「おしまい」ボタン２０７がタッチされたいずれかの領域（本実施例では領域Ｒ）に携帯撮影用画像を表示する。
【０１５９】
別の領域Ｌで編集入力が継続しており（Ｓ１１３でＹＥＳ）、領域Ｒで携帯撮影用画像がまだ表示されていない場合は（Ｓ１１５でＮＯ）、図２０に示すような案内表示７２を領域Ｒに表示する（Ｓ１１７）。図２０は、片方の領域Ｒにおいて、「おしまい」ボタン２０７Ｒがタッチされた場合に、携帯撮影用画像を表示する旨を案内する画面である。図示のように、「上のキャプチャ画像か、編集対象画像の中から好きな写真をタッチして選択してね」「選択した画像がここに大きく表示されるよ。表示された画像を携帯電話のカメラで撮影して待ち受けにしちゃおう」というように、編集対象画像７１、キャプチャ画像２１３の中から所望の画像を選択し、携帯撮影用画像として表示するよう案内を行なう。また、編集画面に戻り、再び編集入力処理が行なえるように「編集画面に戻る」ボタン７３も同時に表示する。
【０１６０】
ついで、ＣＰＵ１０３ｂは、「編集画面に戻る」ボタン７３がタッチされたか否かを判定する（Ｓ１１９）。「編集画面に戻る」ボタン７３がタッチされた場合（Ｓ１１９でＹＥＳ）、編集画面を再び表示して（Ｓ１２１）、ステップＳ１０５へ戻り、編集入力処理を継続する。
【０１６１】
「編集画面に戻る」ボタン７３がタッチされていない場合（Ｓ１１９でＮＯ）、キャプチャ画像２１３か編集対象画像７１のいずれかがタッチされたか否かを監視する（Ｓ１２３）。キャプチャ画像２１３か編集対象画像７１のいずれかがタッチされた場合（Ｓ１２３でＹＥＳ）、図２１に示すように、携帯撮影用画像６１を該当領域Ｒに表示する（Ｓ１２５）。図２１は、携帯撮影用画像６１を該当領域Ｒに表示した画面を示す図である。図示のようにタッチされた画像を、領域Ｒに大きく利用者が撮影しやすいように表示するとともに、「携帯電話のカメラで上の画像を撮影してね」などの案内を表示する。
【０１６２】
キャプチャ画像２１３か編集対象画像７１のいずれもがタッチされない場合（Ｓ１２３でＮＯ）、編集制限時間に達したか否かを判定し（Ｓ１２７）、編集制限時間に達した場合は（Ｓ１２３でＹＥＳ）、編集入力処理を終了して、図１２のメインフローへ戻る。
【０１６３】
編集制限時間に達していない場合は（Ｓ１２７でＮＯ）、ステップＳ１１３に戻り携帯撮影用画像６１を表示している領域（ここでは領域Ｒ）とは別の領域（ここでは領域Ｌ）で編集入力が継続中か否かを判定し、別の領域で編集入力が継続中でない場合（Ｓ１１３でＮＯ）、すなわち別の領域でも「おしまい」ボタン２０７がタッチされた場合は、編集入力処理を終了して、図１２のメインフローへ戻る。
【０１６４】
別の領域で編集入力が継続中の場合（Ｓ１１３でＹＥＳ）、携帯撮影用画像６１をすでに表示している場合は（Ｓ１１５でＹＥＳ）、ステップＳ１２３へ移り、携帯撮影用画像６１を表示しておらず、案内画面が表示されている場合は（Ｓ１１５でＮＯ）、ステップＳ１１７へ移る。
【０１６５】
このように、複数の編集領域Ｌ，Ｒそれぞれで上記編集入力を受け付けるための編集画面を編集用タッチパネルディスプレイ４１に表示し、上記複数の編集領域Ｌ，Ｒのうちいずれかの編集領域において編集入力が終了した後に、その編集領域に携帯撮影用画像６１を表示するよう制御する。
【０１６６】
このようにすることにより、利用者のうち片方はもう編集入力（落書き）を終了してしまいたいが、もう片方はまだ編集入力（落書き）を行ないたい場合などに、「おしまい」ボタン２０７がタッチされた領域には、携帯撮影用画像６１を表示して待機プレイを提供することによって、他方の編集入力が終了するのを待機している同一グループの他の利用者に退屈感を感じさせないようにすることができる。そして、他方の編集入力が終了するまで携帯撮影用画像６１を表示して待機プレイを提供することが行われる。
【０１６７】
再び図１２に戻って、ステップＳ５９で、編集入力処理が終了したら、ＣＰＵ１０３ｂは、編集対象画像７１と入力された落書き用画像との合成画像である編集画像と、キャプチャ画像２１３とを一覧表示して印刷対象画像を選択させるための印刷対象画像選択画面を編集用タッチパネルディスプレイ４１に表示する（Ｓ６１）。そして、印刷対象画像が選択されたら、シールシートに印刷するときのレイアウトを選択させるための印刷レイアウト選択画面を編集用タッチパネルディスプレイ４１に表示する（Ｓ６３）。
【０１６８】
印刷レイアウトが選択されたら、選択された印刷レイアウトや印刷対象画像に基づいて、印刷データを作成する（Ｓ６５）。そして、プリンタ５５に指示信号を送出して、印刷処理を開始する（Ｓ６７）。そして、印刷処理が開始されたらＣＰＵ１０３ｂは、利用者を印刷待機空間５に誘導する音声（例えば、「シールは左から出るよ！」）を編集用スピーカ４６から出力し、利用者を印刷待機空間５に誘導する印刷案内画面を編集用タッチパネルディスプレイ４１に所定時間表示する（Ｓ６９）。このようにすることにより、編集プレイが終了した利用者を印刷待機空間５へ誘導する。そして、ステップＳ５１へ戻り、タッチパネルディスプレイ４１には再び待機画面を表示する。
【０１６９】
［印刷待機空間で行なわれる印刷待機処理］
次に、図２２を用いて印刷待機空間５で行なわれる印刷待機処理について説明する。
【０１７０】
シールシートを印刷する処理には時間がかかるため、待ち時間が生じてしまい、印刷待ちの間、利用者は退屈感を感じてしまうという問題がある。そこで、印刷待機中に、携帯撮影用画像を印刷待機用タッチパネルディスプレイ５１に表示するよう制御し、携帯撮影用画像６１を利用者のカメラ付携帯等で撮影する待機プレイを提供する。
【０１７１】
図２２は、本実施形態における画像プリント提供装置の印刷待機空間５で行なわれる印刷待機処理を示すフローチャートである。図２２のフローチャートに示される処理は、編集・印刷用コンピュータ装置１０１ｂのＣＰＵ１０３ｂが、記憶部１０４ｂに格納された動作プログラムをメモリ１０５ｂに読出して実行することによって実現される。印刷待機処理では、印刷待機中に、携帯撮影用画像６１を印刷待機用タッチパネルディスプレイ５１に表示することによって、利用者の携帯電話等に本画像プリント提供装置で撮影した画像や落書きした画像を提供する。
【０１７２】
より具体的に、フローチャートを参照して、上述の初期化処理が終了すると、ＣＰＵ１０３ａは、図１３に示す編集空間４の編集用タッチパネルディスプレイ４１の待機画面と同様に、まず撮影空間３で撮影プレイをはじめるよう促す待機画面を印刷待機用タッチパネルディスプレイ５１に表示する（Ｓ７１）。そして印刷が開始されたか否かを監視する（Ｓ７３）。印刷が開始されない場合は（Ｓ７３でＮＯ）、引き続き印刷が開始されたか否かを監視する。印刷が開始された場合は、（Ｓ７３でＹＥＳ）、図２３に示すような携帯撮影用画像表示画面を表示する（Ｓ７５）。
【０１７３】
図２３は携帯撮影用画像表示画面の一具体例である。図２３に示すように、携帯撮影用画像６１の表示画面は、「携帯電話のカメラで画像を撮影してね」という案内２５０と、携帯撮影用画像選択領域２５１と、携帯撮影用画像表示領域２５２と、明るさ変更ボタン２５３と、サイズ変更ボタン２５４と、向き変更ボタン２５５と、壁紙変更ボタン２５６と、終了ボタン２５７とを含んで構成されている。
【０１７４】
利用者は、携帯撮影用画像表示領域２５２に表示された携帯撮影用画像６１を撮影することによって、本画像プリント提供装置で撮影した画像を自身の携帯電話のメモリに記憶することができる。このため、携帯撮影用画像６１は、携帯電話で撮影しやすいような大きさで表示される。また、利用者が所持する携帯電話は多種多様であり、画面サイズや撮影時の画像の明るさはまちまちであるため、利用者によって撮影しやすいサイズや明るさは異なる。このため、携帯撮影用画像６１の表示画面では、利用者の所持する携帯電話の仕様にあわせて、画像サイズの変更や携帯撮影用画像６１の明るさの変更や、携帯撮影用画像６１の向きの変更をすることができるようになされている。
【０１７５】
また、携帯電話のカメラで撮影する際に、携帯撮影用画像６１の周囲が写ってしまうことがある。このため、携帯撮影用画像６１の携帯撮影用画像表示領域２５２の周囲には、フレームあるいは壁紙などの模様画像を配置し、携帯撮影用画像６１の周囲が写ってしまってもデザイン的に見苦しくないようにする。このフレームや壁紙などの模様画像は、記憶部１０４ｂに記憶された画像であり、壁紙変更ボタン２５６をタッチすることで変更することができる。
【０１７６】
このように、携帯撮影用画像６１の表示形態を、利用者所持の携帯電話の仕様にあわせて変更することができるため、携帯電話のカメラでの撮影が行ないやすい。また、利用者の好みにあわせて壁紙の模様画像などを変更することもできるため、利用者の満足を得ることができる。
【０１７７】
ＣＰＵ１０３ｂは、携帯撮影用画像選択領域２５１のサムネイル画像７５の中から、いずれかがタッチされたか否かを判定する（Ｓ７７）。携帯撮影用画像選択領域２５１のサムネイル画像７５の中から、いずれかの画像がタッチされた場合（Ｓ７７でＹＥＳ）、選択した携帯撮影用画像６１を携帯撮影用画像表示領域２５２に大きく表示する（Ｓ７９）。
【０１７８】
ついで、ＣＰＵ１０３ｂは、明るさ変更ボタン２５３と、サイズ変更ボタン２５４と、向き変更ボタン２５５と、壁紙変更ボタン２５６などの各種変更ボタンがタッチされたか否かを判定する（Ｓ８１）。各種変更ボタンのいずれかがタッチされた場合（Ｓ８１でＹＥＳ）、各種変更ボタンの内容に従って、携帯撮影用画像６１の表示を変更する（Ｓ８３）。例えば、サイズボタン大がタッチされた場合は、図２４（Ａ）に示すように携帯撮影用画像６１のサイズが変更され大きく表示される。例えば壁紙変更ボタンのいずれかがタッチされた場合は、図２４（Ｂ）に示すように携帯撮影用画像６１の周囲の壁紙が、選択した変更ボタンに対応する模様に変更して表示される。
【０１７９】
画像選択が行なわれず（Ｓ７７でＮＯ）、各種変更ボタンがタッチされていない場合（Ｓ８１でＮＯ）、「終了」ボタン２５７がタッチされたか否かを判定する（Ｓ８５）。終了ボタン２５７がタッチされた場合（Ｓ８５でＹＥＳ）、図２５に示すように印刷を待機するよう促す印刷待機案内画面を表示する（Ｓ８７）。なお、終了ボタンが押された場合は、ゲームなどを行なったり、利用者に有益な情報を表示したりするようにしてもよい。
【０１８０】
ついで、ＣＰＵ１０３ｂは、印刷が終了したか否かを判定する（Ｓ８９）。印刷終了の判定方法としては、印刷が終了すると、プリンタ５５が印刷終了コマンドを編集・印刷用コンピュータ装置１０１ｂに送出して、編集・印刷用コンピュータ装置１０１ｂが該印刷終了コマンドを受信したときに印刷終了と判定する方法や、プリント取出口５２に、物体に反応するセンサを配備して、センサが反応した場合に制御部１０２を介して、編集・印刷用コンピュータ装置１０１ｂに指示コマンドを送出して、編集・印刷用コンピュータ装置１０１ｂが該指示コマンドを受信したときに印刷終了と判定する方法などがあるが、これらに限定するものではない。
【０１８１】
印刷が終了していない場合（Ｓ８９でＮＯ）、すでに携帯撮影用画像６１を表示中か否かを判定し（Ｓ９１）、携帯撮影用画像６１を表示中の場合（Ｓ９１でＹＥＳ）、ステップＳ７７へ戻り、引き続き携帯撮影用画像６１を表示して、携帯撮影用画像表示処理を行なう。このように印刷が終了するまでの間は、利用者は携帯撮影用画像表示画面の各種ボタンを操作して所望の携帯撮影用画像６１を表示し、自身のカメラ付き携帯電話等を利用して自由に撮影する待機プレイを行うことができる。
【０１８２】
一方、携帯撮影用画像６１を表示中でない場合（Ｓ９１でＮＯ）、ステップＳ８９へ戻り、印刷が終了したか否かを監視する。印刷が終了した場合（Ｓ８９でＹＥＳ）、図２６に示すように印刷案内画面を表示し（Ｓ９３）、再びステップＳ７１に戻って、待機画面を表示する。このように、印刷完了までの待機時間が終了するまで携帯撮影用画像６１を表示した待機プレイを提供する。
【０１８３】
また、本実施の形態においては印刷待機処理を印刷待機空間５の印刷待機用タッチパネルディスプレイ５１で行なっているが、編集空間４の編集用タッチパネルディスプレイ４１を用いて行なってもよい。
【０１８４】
上記のように、撮影待機中、編集待機中、印刷待機中、待機時間中に携帯撮影用画像を表示して利用者所持の携帯電話のカメラで撮影させることによって、利用者に退屈感を感じさせないようにすることができる。
【０１８５】
また、画像プリント提供装置に通信手段を備えなくても、利用者所持の携帯電話に画像を提供することができるため、画像プリント提供装置のプレイで得られた画像を利用者所持の携帯電話の待受画像にしたいという利用者の要望を満たすことができる。すなわち、通信手段を設置する費用と通信費用を軽減することができる。
【０１８６】
また、通信手段を備えて利用者所持の携帯電話に画像送信する場合は、利用者のメールアドレス等を入力させなくてはならないが、このような面倒な操作をすることなく画像プリント提供装置のプレイで得られた画像を利用者所持の携帯電話に提供することができる。
【０１８７】
また、通信手段を備えて利用者所持の携帯電話に画像送信する場合は、限られた枚数（１枚〜２枚）、あるいは限られた人数にしか送信することができないが、携帯撮影用画像を表示することによって、時間が許す限りは何枚でも何種類でも撮影できるとともに、同一グループの複数の利用者が同時に撮影することができるため、多様な画像を利用者所持の携帯電話に提供することができる。
【０１８８】
また、通信手段を備えて利用者所持の携帯電話に画像送信する場合は、サーバ負荷や送信の際の通信量を考慮して画像を低解像度にする必要があり、さらに携帯電話の多様な画面サイズに対応することは困難であり、低解像度で画一的なサイズの画像しか提供できない。しかしながら、本発明は携帯撮影用画像を表示して、利用者所持の携帯電話のカメラで撮影してもらうことによって画像を提供するので、高品質で利用者所持の携帯電話の画面サイズにあった画像を提供することができる。
【０１８９】
［印刷待機処理の第２例］
なお、印刷にかかる時間の目安を携帯撮影用画像表示画面に表示してもよい。これは、印刷が開始されたら、印刷に必要であると思われる所定の時間を画面上にタイマ表示しカウントダウンしていくことによって、利用者に印刷時間の目安を通知する。このようにすることによって、利用者は印刷待機の残り時間を把握することができるため、印刷待機処理の際に計画的に撮影していくことができ、撮影途中に処理が終了してしまうということがなくなる。
【０１９０】
また、本実施の形態においては印刷終了と判定された場合に、携帯撮影用画像６１の表示を終了しているが、印刷に必要であると思われる所定の時間をカウントしていくことによって、所定の時間が経過したら携帯撮影用画像６１の表示を終了するようにしてもよい。このような場合は、図１２のステップＳ６７の印刷開始後に、タイマ計測を開始するステップが追加され、ステップＳ８９の印刷終了判定を、所定の時間が経過したか否かの判定にする。
【０１９１】
なお、携帯撮影用画像表示画面は、上記のように１つの画面で選択や表示を行なうような形態でなくてもよい。図２７（Ａ）（Ｂ）に示すように、携帯撮影用画像６１を選択する選択画面（図２７（Ａ））と、携帯撮影用画像６１を表示する画面（図２７（Ｂ））が別であってもよい。図２７（Ａ）の選択画面には、編集入力された編集画像やキャプチャ画像を携帯撮影用画像６１として選択する画像選択領域２５１Ａと、編集入力されていない撮影画像を携帯撮影用画像６１として選択する画像選択領域２５１Ｂとが表示されている。このようにすることによって、携帯撮影用画像６１をより大きく表示し、まわりに余計な画像を配置しなくてもよくなるため、利用者は画像を撮影しやすい。
【０１９２】
また、携帯撮影用画像表示画面は、図２８（Ａ）に示すように、同じ種類の撮影用画像をそれぞれ異なる大きさとなる複数のサイズの画像を同時に表示してもよい。このようにすることによって、所持する携帯電話の画面サイズとあわない場合に、わざわざサイズを変更して再表示しなくても、簡単に所持する携帯電話の画面サイズとあわせられることができるため、撮影時間の短縮になり、利用者はより多くの画像を撮影することができる。
【０１９３】
また、携帯撮影用画像表示画面は、図２８（Ｂ）に示すように、同じ種類の撮影用画像をそれぞれ異なる向きとなるよう複数同時に表示してもよい。このようにすることによって、所持する携帯電話の画面の向きとあわない場合に、わざわざ向きを変更して再表示しなくても、簡単に所持する携帯電話の画面とあわせられることができるため、撮影時間の短縮になり、利用者はより多くの画像を撮影することができる。
【０１９４】
また、携帯撮影用画像表示画面は、図２９に示すように、異なる種類の撮影画像や編集画像あるいはキャプチャ画像を同時に表示するようにしてもよい。さらに異なる画像を表示する複数の領域（この例では領域Ｌと領域Ｒ）にわかれており、それぞれが独立して変更、操作できるよう、それぞれの領域に操作部７６を設けるように構成されていてもよい。このようにすることによって、１グループの利用者の各々が好きな画像を表示して、夫々の所望の画像を撮影することができる。
【０１９５】
また、携帯撮影用画像６１の一部を拡大する機能を設けてもよい。例えば、アイコン画像（例えば虫眼鏡などを模した画像）を表示しておき、該アイコン画像をタッチして、携帯撮影用画像６１の拡大したい部分を再びタッチするとタッチした部分を中心にして拡大表示を行なう。このようにすることによって、携帯撮影用画像６１の所望の一部分のみ（例えば顔などの部分のみ）を拡大することができるため、携帯撮影用画像６１の一部分のみを撮影したいときに、利用者は撮影しやすくなる。
【０１９６】
以上が、本実施例の画像プリント提供装置の処理の説明である。
【０１９７】
さらに、画像プリント提供装置のコンピュータ装置１０１ａ，１０１ｂの制御方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１９８】
提供されるプログラム製品は、ハードディスクなどのプログラム格納部にインストールされて実行される。なお、プログラム製品は、プログラム自体と、プログラムが記録された記録媒体とを含む。
【０１９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２００】
以上のように、本発明によれば、上記撮影手段による撮影の待機、編集入力受付手段による編集の待機、印刷手段による印刷完了の待機の少なくともいずれかの待機時間中に、利用者所有のカメラで撮影するための撮影用画像を表示手段に表示する。このため、利用者は、自分のカメラで撮影用画像を撮影し、例えば携帯電話端末の待ち受け画面として利用したり友人に送信したりすることができる。また、このような撮影用画像の撮影を待機時間を利用して行うため、待機時間の間に利用者に楽しみを提供し、利用者を飽きさせず、待つことによるイライラを解消することができる。
【０２０１】
そして、従来のように、画像をサーバ装置へ送信するための通信手段を画像プリント提供装置毎に設ける必要がなく、また、画像プリント提供装置とサーバ装置との通信コストもかからず、通信電波状態によるトラブルも発生しない。また、電話回線等の配線の影響を受けないため、店舗内でのレイアウトの自由度が高くなる。さらに、通信手段を利用した送信のように、画像を圧縮する必要もなく、画質の低下もない。さらに、メールアドレス入力作業の手間も解消され、個人情報流出の危険もなくなる。また、従来のように、携帯端末等の利用者のカメラを画像プリント提供装置にいちいち接続する煩わしさもなくなり、それによるカメラの破損やデータの消失・流出の危険もなくなる。さらに、従来のように、赤外線やブルートゥース等の煩雑な操作を利用者に強いることもなくなるうえ、赤外線やブルートゥースなどの機能が搭載されていないカメラも使用可能となり、サービスが機種に依存することもなくなる。このように、低コストかつ容易に携帯端末のような外部機器に対して画像を提供することができる画像プリント提供装置および方法ならびにプログラムが提供できるのである。
【０２０２】
また、上記制御手段は、上記表示手段に、上記待機時間が終了するまで撮影用画像を表示するため、待機時間の間に利用者に楽しみを提供し、利用者を飽きさせず、待つことによるイライラを解消することができる。
【０２０３】
また、上記撮影用画像は、上記撮影画像と編集画像の少なくともいずれかを含むため、撮影用画像として利用者自身を撮影した撮影画像や、それに利用者自身が編集を加えた編集画像を提供することができ、利用者により満足を与えることができる。
【０２０４】
また、上記編集入力中の編集画像を記憶するキャプチャ手段を備え、上記撮影用画像は、上記キャプチャ手段で記憶された編集画像を含むため、編集途中の所望の編集画像をキャプチャして当該キャプチャ画像を撮影用画像として提供することができ、利用者により満足を与えることができる。また、より多くの種類の画像を撮影用画像として利用者に提供できる。
【０２０５】
また、上記撮影用画像は、記憶手段にあらかじめ記憶された記憶画像を含むため、あらかじめ準備された記憶画像を撮影用画像として提供することができ、利用者により満足を与えることができる。
【０２０６】
また、上記表示手段は、上記撮影手段による撮影を待機するための撮影待機部に設けられた撮影待機用ディスプレイを含むため、撮影待ちの利用者に撮影待機部において、撮影用画像を撮影する楽しみを提供することができ、新たに利用しようとする利用者を逃さず、プレイを行わせることができる。
【０２０７】
また、上記表示手段は、上記画像プリントを利用者に提供するプリント提供部に設けられた印刷待機用ディスプレイを含むため、印刷終了を待機する利用者に、プリント提供部において、撮影用画像を撮影する楽しみを提供することができ、印刷終了の待機の間に利用者に楽しみを提供し、利用者を飽きさせず、待つことによるイライラを解消することができる。
【０２０８】
また、上記制御手段は、複数の編集領域それぞれで上記編集入力を受け付けるための編集画面を上記表示手段に表示し、上記複数の編集領域のうちいずれかの編集領域において編集入力が終了した後に、撮影用画像を表示するため、複数の編集領域それぞれで上記編集入力を行う場合に、一方の編集入力が終了した後、他方の編集終了を待機する間に、撮影用画像を撮影する楽しみを提供することができ、印刷終了の待機の間に利用者に楽しみを提供し、利用者を飽きさせず、待つことによるイライラを解消することができる。
【０２０９】
また、上記制御手段は、上記表示手段に、所望の撮影用画像を選択するための複数の画像を表示するとともに、上記複数の画像から利用者の選択入力により選択された撮影用画像を大きく表示するため、複数の画像のなかから利用者所望の画像を撮影用画像として提供することができ、利用者により満足を与えることができる。
【０２１０】
また、上記制御手段は、上記表示手段に、同じ種類の撮影用画像をそれぞれ異なる大きさで複数表示するため、携帯電話等のように、カメラの画面の大きさが機種によって異なったとしても、撮影用画像の画像サイズと利用者が所持するカメラの画面の大きさとを合致させた撮影ができ、例えば、待ち受け画面等にしたときに見た目がよく、利用者に満足を与えることができる。
【０２１１】
また、上記制御手段は、上記表示手段に、同じ種類の撮影用画像をそれぞれ異なる向きで複数表示するため、携帯電話等のように、カメラの画面の向きが機種によって異なったとしても、画像の向きと利用者が所持するカメラの画面の向きとを合致させた撮影ができ、例えば、待ち受け画面等にしたときに見た目がよく、利用者に満足を与えることができる。
【０２１２】
また、上記制御手段は、上記表示手段に、異なる種類の撮影用画像を同時に複数表示するため、複数種類の画像を撮影用画像として短時間のうちに同時に提供することができ、利用者により満足を与えることができる。
【０２１３】
また、撮影用画像を表示する前に撮影用画像を表示する旨の案内をする案内手段をさらに備えたため、利用者が上記案内によりカメラを準備できることから、待機時間に提供される撮影用画像の撮影を時間の無駄なく遂行できるようになる。
【０２１４】
また、上記表示手段の周囲に、上記表示手段への照明や光線の入射を遮蔽する遮蔽手段を備えたため、撮影用画像の撮影の際に、上記表示手段に写り込まないよう照明や光線を遮蔽することができるため、きれいな画像を撮影できる。
【０２１５】
また、上記表示手段の表面に、上記表示手段への照明や光線の写り込みを防止する防止手段を備えたため、撮影用画像の撮影の際に、照明や光線の写り込みが防止され、きれいな画像を撮影できる。
【図面の簡単な説明】
【０２１６】
【図１】本発明の画像プリント提供装置の一実施例を示す斜視図である。
【図２】上記画像プリント提供装置の斜視図である。
【図３】プリント提供部の第２例を示す斜視図である。
【図４】上記画像プリント提供装置のシステム構成図である。
【図５】撮影待機処理を示すフローチャートである。
【図６】撮影待機処理の第２例を示すフローチャートである。
【図７】案内画面の一例を示す図である。
【図８】携帯撮影用画像の選択画面の一例を示す図である。
【図９】携帯撮影用画像の表示画面の一例を示す図である。
【図１０】撮影処理を示すフローチャートである。
【図１１】タイトルデモ画面の一例を示す図である。
【図１２】編集・印刷処理を示すフローチャートである。
【図１３】待機画面の一例を示す図である。
【図１４】データ転送中画面の一例を示す図である。
【図１５】編集入力（落書き）処理を示すフローチャートである。
【図１６】編集画面の一例を示す図である。
【図１７】編集画面の一例を示す図である。
【図１８】編集画面の一例を示す図である。
【図１９】編集画面の一例を示す図である。
【図２０】編集画面の一例を示す図であり、キャプチャ処理の状態を示す。
【図２１】編集画面の一例を示す図であり、待機中の画像表示状態を示す。
【図２２】印刷待機処理を示すフローチャートである。
【図２３】携帯撮影用画像表示画面の一例を示す図である。
【図２４】携帯撮影用画像表示画面の一例を示す図である。
【図２５】待機画面の一例を示す図である。
【図２６】印刷完了画面の一例を示す図である。
【図２７】携帯撮影用画像表示画面の一例を示す図である。
【図２８】携帯撮影用画像表示画面の一例を示す図である。
【図２９】携帯撮影用画像表示画面の一例を示す図である。
【符号の説明】
【０２１７】
１：筐体
２：撮影待機空間
３：撮影空間
４：編集空間
５：印刷待機空間
６ａ、６ｂ：天井部
７ａ、７ｂ：遮蔽カーテン
１５：印刷媒体
２０：撮影待機部
２１：撮影待機用タッチパネルディスプレイ
２２：ひじおき台
２３：遮蔽部材
２４：蛍光灯
３０：撮影プレイ提供部
３１：カメラ
３２：ライブモニタ
３３：撮影用タッチパネルディスプレイ
３４：照明部
３５：コイン投入口
３６：蛍光灯
３７：ストロボ
３９：撮影用スピーカ
４０：編集プレイ提供部
４１：編集用タッチパネルディスプレイ
４２，４２Ｌ，４２Ｒ：タッチペン
４３：遮蔽部材
４６：編集用スピーカ
５０：プリント提供部
５１：印刷待機用タッチパネルディスプレイ
５２：プリント取出口
５３：印刷中ランプ
５４：エラーランプ
５５：プリンタ
６０：サムネイル
６１：携帯撮影用画像
７０：登録不可案内
７１：編集対象画像
７２：案内表示
７３：ボタン
７５：サムネイル画像
７６：操作部
９７：ＵＰＳ
９８：電源制御部
９９：ストロボ制御部
１００：電源スイッチ
１０１ａ：撮影用コンピュータ装置
１０１ｂ：編集・印刷用コンピュータ装置
１０２：制御部
１０３ａ、１０３ｂ：ＣＰＵ
１０４ａ、１０４ｂ：記憶部
１０５ａ、１０５ｂ：メモリ
１０７：コイン制御部
１１２：コイン制御部
１１３：サービスパネル
２０１：タイマ
２０２：編集対象画像選択領域
２０３：機能選択ボタン
２０４、２０４Ｌ、２０４Ｒ：機能タブ
２０５、２０５Ｌ、２０５Ｒ：模様選択領域
２０６、２０６Ｌ、２０６Ｒ：編集入力領域
２０７、２０７Ｌ、２０７Ｒ：ボタン
２０８、２０８Ｌ、２０８Ｒ：ボタン
２０９、２０９Ｌ、２０９Ｒ：ボタン
２１０、２１０Ｌ、２１０Ｒ：ボタン
２１１、２１１Ｌ、２１１Ｒ：ボタン
２１２：キャプチャ画像表示領域
２１３：キャプチャ画像
２１４：削除ボタン
２５０：案内
２５１：携帯撮影用画像選択領域
２５１Ａ：画像選択領域
２５１Ｂ：画像選択領域
２５２：携帯撮影用画像表示領域
２５３：明るさ変更ボタン
２５４：サイズ変更ボタン
２５５：向き変更ボタン
２５６：壁紙変更ボタン
２５７：終了ボタン
【図１】
2006324726.tif 000003
【図２】
2006324726.tif 000004
【図３】
2006324726.tif 000005
【図４】
2006324726.tif 000006
【図５】
2006324726.tif 000007
【図６】
2006324726.tif 000008
【図７】
2006324726.tif 000009
【図８】
2006324726.tif 000010
【図９】
2006324726.tif 000011
【図１０】
2006324726.tif 000012
【図１１】
2006324726.tif 000013
【図１２】
2006324726.tif 000014
【図１３】
2006324726.tif 000015
【図１４】
2006324726.tif 000016
【図１５】
2006324726.tif 000017
【図１６】
2006324726.tif 000018
【図１７】
2006324726.tif 000019
【図１８】
2006324726.tif 000020
【図１９】
2006324726.tif 000021
【図２０】
2006324726.tif 000022
【図２１】
2006324726.tif 000023
【図２２】
2006324726.tif 000024
【図２３】
2006324726.tif 000025
【図２４】
2006324726.tif 000026
【図２５】
2006324726.tif 000027
【図２６】
2006324726.tif 000028
【図２７】
2006324726.tif 000029
【図２８】
2006324726.tif 000030
【図２９】
2006324726.tif 000031